(57)【要約】本発明の一実施例による無線通信システムにおいて、端末が信号を送信する方法は、基地局からＳＰＳ（Semi-Persistent Scheduling）ベースの上りリンク信号繰り返しのためのＳＰＳ設定を受信する段階と、ＳＰＳ設定に基づいて第１のＳＰＳ上りリンク信号を基地局に繰り返し送信する段階と、を有し、第１のＳＰＳ上りリンク信号の繰り返しが進行中であり、第１のＳＰＳ上りリンク信号の時間リソースと第２のＳＰＳ上りリンク信号の時間リソースとが重畳した状態で、端末は、第２のＳＰＳ上りリンク信号の送信なしで、進行中の第１のＳＰＳ上りリンク信号の繰り返しを続けることができる。【選択図】図１０
2021503858.tif 000002
【特許請求の範囲】
【請求項１】
無線通信システムにおいて、端末（User Equipment；ＵＥ）が信号を送信する方法であって、
基地局（Base Station；ＢＳ）からセミパーシステントスケジューリング（Semi-Persistent Scheduling；ＳＰＳ）ベースの上りリンク（UpLink；ＵＬ）信号繰り返しのためのＳＰＳ設定を受信する段階と、
前記ＳＰＳ設定に基づいて第１のＳＰＳ上りリンク信号を前記基地局に繰り返し送信する段階と、を有し、
前記第１のＳＰＳ上りリンク信号の繰り返しが進行中であり、前記第１のＳＰＳ上りリンク信号の時間リソースと第２のＳＰＳ上りリンク信号の時間リソースとが重畳した状態で、前記端末は、前記第２のＳＰＳ上りリンク信号の送信なしで、前記進行中の第１のＳＰＳ上りリンク信号の繰り返しを続ける、方法。
【請求項２】
前記端末は、前記第１のＳＰＳ上りリンク信号の時間リソースと前記第２のＳＰＳ上りリンク信号の時間リソースとが重畳した状態で、前記第１のＳＰＳ上りリンク信号と前記第２のＳＰＳ上りリンク信号とが衝突すると判断する、請求項１に記載の方法。
【請求項３】
前記第１のＳＰＳ上りリンク信号および前記第２のＳＰＳ上りリンク信号は、各々ＳＰＳ物理上りリンク共有チャネル（Physical Uplink Shared CHannel；ＰＵＳＣＨ）である、請求項１に記載の方法。
【請求項４】
前記第１のＳＰＳ上りリンク信号の繰り返しは、サブフレーム単位、スロット単位またはサブスロット単位で行われる、請求項１に記載の方法。
【請求項５】
前記第２のＳＰＳ上りリンク信号は、初期送信に関連する、請求項１に記載の方法。
【請求項６】
前記第１のＳＰＳ上りリンク信号の時間リソースが、ＳＰＳベースではなく、動的上りリンク承認ベースの第３の上りリンク信号の時間リソースと重畳した状態で、前記端末は、前記第１のＳＰＳ上りリンク信号の繰り返しを中断し、前記第３の上りリンク信号を送信する、請求項１に記載の方法。
【請求項７】
前記第１のＳＰＳ上りリンク信号の繰り返しが中断されると、前記端末は、前記第１のＳＰＳ上りリンク信号でピギーバック方式で送信されると予定されていた上りリンク制御情報（Uplink Control Information；ＵＣＩ）を、前記第３の上りリンク信号により送信するか、または別の物理上りリンク制御チャネル（Physical Uplink Control CHannel；ＰＵＣＣＨ）を介して送信する、請求項６に記載の方法。
【請求項８】
無線通信システムにおいて、基地局（Base Station；ＢＳ）が信号を受信する方法であって、
セミパーシステントスケジューリング（Semi-Persistent Scheduling；ＳＰＳ）ベースの上りリンク（UpLink；ＵＬ）信号繰り返しのためのＳＰＳ設定を端末（User Equipment；ＵＥ）に送信する段階と、
前記ＳＰＳ設定に基づいて前記端末から第１のＳＰＳ上りリンク信号を繰り返し受信する段階と、を有し、
前記第１のＳＰＳ上りリンク信号の繰り返しが進行中の状態であり、前記第１のＳＰＳ上りリンク信号の時間リソースと第２のＳＰＳ上りリンク信号の時間リソースとが重畳した状態で、前記基地局は、前記第２のＳＰＳ上りリンク信号の受信なしで、前記進行中の第１のＳＰＳ上りリンク信号の繰り返しを受信し続ける、方法。
【請求項９】
前記基地局は、前記第１のＳＰＳ上りリンク信号の時間リソースと前記第２のＳＰＳ上りリンク信号の時間リソースとが重畳した状態で、前記第１のＳＰＳ上りリンク信号と前記第２のＳＰＳ上りリンク信号とが衝突すると判断し、前記端末が前記第２のＳＰＳ上りリンク信号を送信するとは期待しない、請求項８に記載の方法。
【請求項１０】
前記第１のＳＰＳ上りリンク信号および前記第２のＳＰＳ上りリンク信号は、各々ＳＰＳ物理上りリンク共有チャネル（Physical Uplink Shared CHannel；ＰＵＳＣＨ）である、請求項８に記載の方法。
【請求項１１】
前記第１のＳＰＳ上りリンク信号の繰り返しは、サブフレーム単位、スロット単位またはサブスロット単位で行われる、請求項８に記載の方法。
【請求項１２】
前記第２のＳＰＳ上りリンク信号は、初期送信に関連する、請求項８に記載の方法。
【請求項１３】
前記第１のＳＰＳ上りリンク信号の時間リソースが、ＳＰＳベースではなく、動的上りリンク承認ベースの第３の上りリンク信号の時間リソースと重畳した状態で、前記基地局は、前記第１のＳＰＳ上りリンク信号の繰り返し受信を中断し、前記第３の上りリンク信号を受信する、請求項８に記載の方法。
【請求項１４】
前記第１のＳＰＳ上りリンク信号の繰り返しが中断されると、前記基地局は、前記第１のＳＰＳ上りリンク信号でピギーバック方式で送信されると予定されていた上りリンク制御情報（Uplink Control Information；ＵＣＩ）を、前記第３の上りリンク信号により受信するか、または別の物理上りリンク制御チャネル（Physical Uplink Control CHannel；ＰＵＣＣＨ）を介して受信する、請求項１３に記載の方法。
【請求項１５】
端末（User Equipment；ＵＥ）であって、
送受信器と、
前記送受信器を制御することにより、基地局（Base Station；ＢＳ）からセミパーシステントスケジューリング（Semi-Persistent Scheduling；ＳＰＳ）ベースの上りリンク（UpLink；ＵＬ）信号繰り返しのためのＳＰＳ設定を受信し、
前記ＳＰＳ設定に基づいて第１のＳＰＳ上りリンク信号を前記基地局に繰り返し送信するプロセッサと、を有し、
前記第１のＳＰＳ上りリンク信号の繰り返しが進行中であり、前記第１のＳＰＳ上りリンク信号の時間リソースと第２のＳＰＳ上りリンク信号の時間リソースとが重畳した状態で、前記プロセッサは、前記第２のＳＰＳ上りリンク信号の送信なしで、前記進行中の第１のＳＰＳ上りリンク信号の繰り返しを続ける、端末。
【発明の詳細な説明】
【技術分野】
【０００１】
本発明は、無線通信システムに関し、より具体的には、端末および基地局が上りリンク信号を送信もしくは受信する方法ならびにそのための装置に関する。
【背景技術】
【０００２】
基本的には、ＬＴＥシステムは、動的（dynamic）ＤＬ／ＵＬ  ｇｒａｎｔを介してＤＬ／ＵＬスケジューリング（簡略には、動的スケジューリング）をサポート（支援）し、また、ＳＰＳ（Semi-Persistent Scheduling）をサポートする。
【０００３】
動的スケジューリングは、ＤＬ／ＵＬ送信ごとにＤＣＩをＰＤＣＣＨで送信するので、スケジューリングのオーバーヘッドが相対的に大きく、スケジューリングの柔軟性が高い側面がある。
【０００４】
ＳＰＳスケジューリングは、ＶｏＩＰのように相対的に小さいデータパケット送信が周期的に発生する場合に有用であり、オーバーヘッドが小さいという長所がある。端末は、ＳＰＳスケジューリングの活性化のために、ＳＰＳ  Ｃ−ＲＮＴＩでスクランブルされたＰＤＣＣＨの受信後は、さらなるＰＤＣＣＨの受信なしで基地局と周期的にＳＰＳ信号を送受信する。端末は、ＳＰＳスケジューリングの非活性化のために、ＳＰＳ  Ｃ−ＲＮＴＩでスクランブルされたＰＤＣＣＨの受信後、ＳＰＳ信号の送受信を終了することができる。
【０００５】
端末は、ＳＰＳスケジューリングが活性化された状態でも動的スケジューリングに該当するＰＤＣＣＨに対するモニタリングを行い、ＳＰＳスケジューリングと動的スケジューリングとが衝突すると、動的スケジューリングに従う。
【発明の概要】
【発明が解決しようとする課題】
【０００６】
本発明の技術的課題は、端末と基地局とがＳＰＳベース（基盤）の（に基づく）（SPS-based）上りリンク信号をより効率的かつ正確に送受信する方法およびそのための装置を提供することにある。
【０００７】
本発明の技術的課題は、上述した技術的課題に制限されず、その他の技術的課題は、本発明の実施例から、本発明が属する技術分野で通常の知識を有する者に明らかに理解可能であろう。
【課題を解決するための手段】
【０００８】
上記技術的課題を達成するための本発明の一側面による無線通信システムにおいて、端末（User Equipment；ＵＥ）が信号を送信する方法は、基地局（Base Station；ＢＳ）からセミパーシステントスケジューリング（Semi-Persistent Scheduling；ＳＰＳ）ベースの上りリンク（UpLink；ＵＬ）信号繰り返しのためのＳＰＳ設定を受信する段階と、ＳＰＳ設定に基づいて第１のＳＰＳ上りリンク信号を基地局に繰り返し送信する段階と、を有し、第１のＳＰＳ上りリンク信号の繰り返しが進行中であり、第１のＳＰＳ上りリンク信号の時間リソースと第２のＳＰＳ上りリンク信号の時間リソースとが重畳した状態で、端末は、第２のＳＰＳ上りリンク信号の送信なしで、進行中の第１のＳＰＳ上りリンク信号の繰り返しを続けることができる。
【０００９】
上記技術的課題を達成するための本発明の一側面による無線通信システムにおいて、基地局（Base Station；ＢＳ）が信号を受信する方法は、セミパーシステントスケジューリング（Semi-Persistent Scheduling；ＳＰＳ）ベースの上りリンク（UpLink；ＵＬ）信号繰り返しのためのＳＰＳ設定を端末（User Equipment；ＵＥ）に送信する段階と、ＳＰＳ設定に基づいて端末から第１のＳＰＳ上りリンク信号を繰り返し受信する段階と、を有し、第１のＳＰＳ上りリンク信号の繰り返しが進行中の状態であり、第１のＳＰＳ上りリンク信号の時間リソースと第２のＳＰＳ上りリンク信号の時間リソースとが重畳した状態で、基地局は、第２のＳＰＳ上りリンク信号の受信なしで、進行中の第１のＳＰＳ上りリンク信号の繰り返しを受信し続けることができる。
【００１０】
上記技術的課題を達成するための本発明の一側面による端末（User Equipment；ＵＥ）は、送受信器と、送受信器を制御することにより、基地局からセミパーシステントスケジューリング（Semi-Persistent Scheduling；ＳＰＳ）ベースの上りリンク信号繰り返しのためのＳＰＳ設定を受信し、ＳＰＳ設定に基づいて第１のＳＰＳ上りリンク信号を基地局に繰り返し送信するプロセッサと、を有し、第１のＳＰＳ上りリンク信号の繰り返しが進行中であり、第１のＳＰＳ上りリンク信号の時間リソースと第２のＳＰＳ上りリンク信号の時間リソースとが重畳した状態で、プロセッサは、第２のＳＰＳ上りリンク信号の送信なしで、進行中の第１のＳＰＳ上りリンク信号の繰り返しを続けることができる。
【００１１】
端末／基地局は、第１のＳＰＳ上りリンク信号の時間リソースと第２のＳＰＳ上りリンク信号の時間リソースとが重畳した状態で、第１のＳＰＳ上りリンク信号と第２のＳＰＳ上りリンク信号とが衝突すると判断することができる。基地局は、端末が第２のＳＰＳ上りリンク信号を送信するとは期待しないことができる。
【００１２】
第１のＳＰＳ上りリンク信号および第２のＳＰＳ上りリンク信号は、各々ＳＰＳ物理上りリンク共有チャネル（Physical Uplink Shared CHannel；ＰＵＳＣＨ）である。
【００１３】
第１のＳＰＳ上りリンク信号の繰り返しは、サブフレーム単位、スロット単位またはサブスロット単位で行われる。
【００１４】
第２のＳＰＳ上りリンク信号は、初期送信に関連する。
【００１５】
第１のＳＰＳ上りリンク信号の時間リソースが、ＳＰＳベースではなく、動的上りリンク承認（グラント）（grant）ベースの第３の上りリンク信号の時間リソースと重畳した状態で、端末／基地局は、第１のＳＰＳ上りリンク信号の繰り返しを中断し、第３の上りリンク信号を送受信することができる。
【００１６】
第１のＳＰＳ上りリンク信号の繰り返しが中断されると、端末／基地局は、第１のＳＰＳ上りリンク信号でピギーバック方式で送受信されると予定されていた上りリンク制御情報（Uplink Control Information；ＵＣＩ）を、第３の上りリンク信号により送受信するか、または別の物理上りリンク制御チャネル（Physical Uplink Control CHannel；ＰＵＣＣＨ）を介して送受信することができる。
【発明の効果】
【００１７】
本発明の一実施例によれば、ＳＰＳをベースとして繰り返し送信されるＵＬ信号が他のＳＰＳ信号と同一の時間リソースで衝突する場合に繰り返し送信されるＵＬ信号に優先順位を付与することにより、既に進行するＵＬ信号の繰り返しが無用となる問題を解決できるだけではなく、衝突状況において端末および基地局の動作が明確に規定されることにより、ＳＰＳベースのＵＬ信号の繰り返しを効率的かつ正確に行うことができる。
【００１８】
本発明で得られる効果は、以上で言及した効果に制限されず、言及しなかった他の効果は、下記の記載から本発明が属する技術分野で通常の知識を有する者に明らかに理解可能であろう。
【図面の簡単な説明】
【００１９】
【図１】無線通信システムで使用される無線フレーム構造の一例を示す図である。
【図２】無線通信システムにおける下りリンク／上りリンク（ＤＬ／ＵＬ）スロット構造の一例を示す図である。
【図３】３ＧＰＰ  ＬＴＥ／ＬＴＥ−Ａシステムで使用される下りリンク（DownLink、ＤＬ）サブフレーム構造を例示する図である。
【図４】３ＧＰＰ  ＬＴＥ／ＬＴＥ−Ａシステムで使用される上りリンク（UpLink、ＵＬ）サブフレーム構造の一例を示す図である。
【図５】ユーザプレーン（平面）の遅延（latency）の減少によるＴＴＩ長の減少を示す図である。
【図６】１（個の）サブフレーム内に複数の短いＴＴＩが設定される例を示す図である。
【図７】複数の長さ（シンボル数）を有する短いＴＴＩで構成されたＤＬサブフレーム構造を示す図である。
【図８】２（個の）シンボルまたは３（個の）シンボルを含む短いＴＴＩで構成されたＤＬサブフレーム構造を示す図である。
【図９】本発明の一実施例によるＳＰＳ  ＰＵＳＣＨドロップ後のピギーバックＵＣＩを送信する方法を説明する図である。
【図１０】本発明の一実施例による上りリンク信号の送受信方法を示すフローチャートである。
【図１１】本発明の実施例を具現するための装置を示すブロック図である。
【発明を実施するための形態】
【００２０】
以下に添付する図面は、本発明に関する理解を助けるためのものであり、本発明の様々な実施形態を示し、詳細な説明と共に本発明の原理を説明するためのものである。
【００２１】
以下、本発明に係る好適な実施形態を添付の図面を参照して詳しく説明する。添付の図面と共に以下に開示される詳細な説明は、本発明の例示的な実施形態を説明するためのものであり、本発明が実施し得る唯一の実施形態を示すためのものではない。以下の詳細な説明は、本発明の完全な理解を提供するために具体的な細部事項を含む。しかしながら、当業者にとっては、このような具体的な細部事項なしでも本発明を実施できることは明らかである。
【００２２】
場合によっては、本発明の概念が曖昧になることを避けるために、公知の構造および装置を省略したり、各構造および装置の中核機能を中心にしたブロック図の形式で示すこともできる。また、本明細書全体を通じて同一の構成要素には同一の図面符号を付して説明する。
【００２３】
本発明において、ユーザ機器（User Equipment、ＵＥ）は、固定されていても移動性を有してもよく、基地局（Base Station、ＢＳ）と通信してユーザデータおよび／または各種制御情報を送受信する各種機器がこれに属する。ＵＥは、端末（Terminal Equipment）、ＭＳ（Mobile Station）、ＭＴ（Mobile Terminal）、ＵＴ（User Terminal）、ＳＳ（Subscribe Station）、無線機器（wireless device）、ＰＤＡ（Personal Digital Assistant）、無線モデム（wireless modem）、携帯機器（handheld device）などと呼ぶことができる。また、本発明において、ＢＳは、一般に、ＵＥおよび／または他のＢＳと通信する固定局（fixed station）のことをいい、ＵＥおよび他のＢＳと通信して各種データおよび制御情報を交換する。ＢＳは、ＡＢＳ（Advanced Base Station）、ＮＢ（Node-B）、ｅＮＢ（evolved-NodeB）、ＢＴＳ（Base Transceiver System）、接続ポイント（Access Point）、ＰＳ（Processing Server）などの他の用語で呼ぶこともできる。以下の説明では、ＢＳをｅＮＢと通称する。
【００２４】
本発明におけるノード（node）とは、ユーザ機器と通信して無線信号を送信／受信できる固定した地点（ポイント）（point）のことをいう。様々な形態のｅＮＢを、その名称に関係なくノードとして用いることができる。例えば、ＢＳ、ＮＢ、ｅＮＢ、ピコセルｅＮＢ（ＰｅＮＢ）、ホームｅＮＢ（ＨｅＮＢ）、リレー、リピータなどをノードとすることができる。また、ノードは、ｅＮＢでなくてもよい。例えば、無線リモートヘッド（Radio Remote Head、ＲＲＨ）、無線リモートユニット（Radio Remote Unit、ＲＲＵ）とすることもできる。ＲＲＨ、ＲＲＵなどは、一般に、ｅＮＢの電力レベル（power level）よりも低い電力レベルを有する。ＲＲＨまたはＲＲＵ（以下、ＲＲＨ／ＲＲＵ）は、一般に、光ケーブルなどの専用回線（dedicated line）でｅＮＢに接続されているため、一般に、無線回線で接続されたｅＮＢによる協調通信に比べて、ＲＲＨ／ＲＲＵとｅＮＢとによる協調通信を円滑に行うことができる。一つのノードには、少なくとも一つのアンテナが設置される。上記アンテナは、物理アンテナを意味することもでき、アンテナポート、仮想アンテナ、またはアンテナグループを意味することもできる。ノードは、ポイント（point）とも呼ばれる。アンテナがｅＮＢに集中して位置して一つのｅＮＢコントローラ（controller）によって制御される既存の（conventional）中央集中型アンテナシステム（Centralized Antenna System，ＣＡＳ）（即ち、単一ノードシステム）とは異なり、マルチ（多重）ノードシステムにおける複数のノードは、一般に一定間隔以上離れて位置する。これらの複数のノードは、各ノードの動作を制御したり、各ノードを通して送／受信されるデータをスケジューリングする一つまたは複数のｅＮＢまたはｅＮＢコントローラによって管理することができる。各ノードは、当該ノードを管理するｅＮＢまたはｅＮＢコントローラと、ケーブルまたは専用回線（dedicated line）で接続されることができる。マルチノードシステムにおいて、複数のノードへの／からの信号送信／受信には、同一のセル識別子（IDentity，ＩＤ）が用いられてもよく、異なるセルＩＤが用いられてもよい。複数のノードが同一のセルＩＤを有する場合、これらの複数のノードのそれぞれは、一つのセルにおける一部のアンテナ集団のように動作する。マルチノードシステムにおいてノードが互いに異なるセルＩＤを有する場合、このようなマルチノードシステムをマルチ（多重）セル（例えば、マクロセル／フェムトセル／ピコセル）システムと見なすことができる。複数のノードのそれぞれが形成したマルチセルがカバレッジによってオーバーレイする形態で構成される場合、これらのマルチセルが形成したネットワークを特にマルチレイヤ（多重−階層）（multi-tier）ネットワークと呼ぶ。ＲＲＨ／ＲＲＵのセルＩＤとｅＮＢのセルＩＤとは同一であっても、異なってもよい。ＲＲＨ／ＲＲＵとｅＮＢとが互いに異なるセルＩＤを用いる場合、ＲＲＨ／ＲＲＵとｅＮＢとはいずれも独立した基地局として動作する。
【００２５】
以下に説明する本発明のマルチノードシステムにおいて、複数のノードに接続した一つもしくは複数のｅＮＢまたはｅＮＢコントローラが、上記複数のノードの一部または全てを介してＵＥに同時に信号を送信または受信するように上記複数のノードを制御することができる。各ノードの実体、各ノードの具現の形態などによって、マルチノードシステム間には差異があるが、複数のノードが共に所定の時間−周波数リソース上でＵＥに通信サービスを提供するために参加するという点で、これらのマルチノードシステムは、単一ノードシステム（例えば、ＣＡＳ、従来のＭＩＭＯシステム、従来の中継システム、従来のリピータシステムなど）とは異なる。そのため、複数のノードの一部または全てを用いてデータ協調送信を行う方法に関する本発明の実施例は、種々のマルチノードシステムに適用可能である。例えば、ノードとは、通常、他のノードと一定間隔以上離れて位置するアンテナグループを指すが、後述する本発明の実施例は、ノードの間隔にかかわらず任意のアンテナグループを意味する場合にも適用可能である。例えば、Ｘ−ｐｏｌ（Cross polarized）アンテナを備えたｅＮＢの場合、該ｅＮＢが、Ｈ−ｐｏｌアンテナで構成されたノードとＶ−ｐｏｌアンテナで構成されたノードとを制御すると見なし、本発明の実施例を適用することができる。
【００２６】
複数の送信（Ｔｘ）／受信（Ｒｘ）ノードを介して信号を送信／受信したり、複数の送信／受信ノードから選択された少なくとも一つのノードを介して信号を送信／受信したり、下りリンク信号を送信するノードと上りリンク信号を受信するノードとを異なるようにする通信技法を、マルチｅＮＢ  ＭＩＭＯまたはＣｏＭＰ（Coordinated Multi-Point TX/RX）という。このようなノード間協調通信のうち、協調送信技法は、ＪＰ（Joint Processing）とスケジューリング協調（scheduling coordination）とに区別できる。前者は、ＪＴ（Joint Transmission）／ＪＲ（Joint Reception）とＤＰＳ（Dynamic Point Selection）とに区別され、後者は、ＣＳ（Coordinated Scheduling）とＣＢ（Coordinated Beamforming）とに区別されることができる。ＤＰＳは、ＤＣＳ（Dynamic Cell Selection）とも呼ぶことができる。他の協調通信技法に比べて、ノード間協調通信技法のうち、ＪＰを行うとき、より様々な通信環境を形成することができる。ＪＰにおいて、ＪＴは、複数のノードが同一のストリームをＵＥに送信する通信技法をいい、ＪＲは、複数のノードが同一のストリームをＵＥから受信する通信技法をいう。当該ＵＥ／ｅＮＢは、上記複数のノードから受信した信号を合成して上記ストリームを復元する。ＪＴ／ＪＲでは、同一のストリームが複数のノードから／に送信されるため、送信ダイバーシチ（diversity）によって信号送信の信頼度を向上させることができる。ＪＰのＤＰＳは、複数のノードから特定の規則によって選択された一つのノードを介して信号が送信／受信される通信技法をいう。ＤＰＳでは、通常、ＵＥとノードとの間のチャネル状態の良いノードが通信ノードとして選択されるはずであるため、信号送信の信頼度を向上させることができる。
【００２７】
一方、本発明におけるセル（cell）とは、一つまたは複数のノードが通信サービスを提供する一定の地理的領域をいう。そのため、本発明において、特定セルと通信するとは、特定セルに通信サービスを提供するｅＮＢまたはノードと通信することを意味する。また、特定セルの下りリンク／上りリンク信号は、該特定セルに通信サービスを提供するｅＮＢまたはノードからの／への下りリンク／上りリンク信号を意味する。ＵＥに上り／下りリンク通信サービスを提供するセルを、特にサービングセル（serving cell）という。また、特定セルのチャネル状態／品質は、該特定セルに通信サービスを提供するｅＮＢまたはノードとＵＥとの間に形成されたチャネルまたは通信リンクのチャネル状態／品質を意味する。３ＧＰＰ  ＬＴＥ−Ａベースのシステムにおいて、ＵＥは、特定ノードからの下りリンクチャネル状態を、上記特定ノードのアンテナポートが上記特定ノードに割り当てられたチャネルＣＳＩ−ＲＳ（Channel State Information Reference Signal）リソース上で送信するＣＳＩ−ＲＳを用いて測定することができる。一般に、隣接するノードは、互いに直交するＣＳＩ−ＲＳリソース上で該当のＣＳＩ−ＲＳリソースを送信する。ＣＳＩ−ＲＳリソースが直交するとは、ＣＳＩ−ＲＳを運ぶシンボルおよび副搬送波を特定するＣＳＩ−ＲＳリソース構成（resource configuration）、サブフレームオフセット（offset）および送信周期（transmission period）などによってＣＳＩ−ＲＳが割り当てられたサブフレームを特定するサブフレーム構成（subframe configuration）、ＣＳＩ−ＲＳシーケンスのうちの少なくとも一つが互いに異なることを意味する。
【００２８】
本発明において、ＰＤＣＣＨ（Physical Downlink Control CHannel）／ＰＣＦＩＣＨ（Physical Control Format Indicator CHannel）／ＰＨＩＣＨ（Physical Hybrid automatic retransmit request Indicator CHannel）／ＰＤＳＣＨ（Physical Downlink Shared CHannel）は、それぞれ、ＤＣＩ（Downlink Control Information）／ＣＦＩ（Control Format Indicator）／下りリンクＡＣＫ／ＮＡＣＫ（ACKnowlegement/Negative ACK）／下りリンクデータを運ぶ時間−周波数リソースの集合またはリソース要素の集合を意味する。また、ＰＵＣＣＨ（Physical Uplink Control CHannel）／ＰＵＳＣＨ（Physical Uplink Shared CHannel）／ＰＲＡＣＨ（Physical Random Access CHannel）は、それぞれ、ＵＣＩ（Uplink Control Information）／上りリンクデータ／ランダムアクセス信号を運ぶ時間−周波数リソースの集合またはリソース要素の集合を意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、またはそれに属する時間−周波数リソースもしくはリソース要素（Resource Element，ＲＥ）を、それぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ  ＲＥまたはＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと呼ぶ。以下において、ユーザ機器がＰＵＣＣＨ／ＰＵＳＣＨ／ＰＲＡＣＨを送信するという表現は、それぞれ、ＰＵＳＣＨ／ＰＵＣＣＨ／ＰＲＡＣＨ上でまたはを介して、上りリンク制御情報／上りリンクデータ／ランダムアクセス信号を送信するという表現と同じ意味で使われる。また、ｅＮＢがＰＤＣＣＨ／ＰＣＦＩＣＨ／ＰＨＩＣＨ／ＰＤＳＣＨを送信するという表現は、それぞれ、ＰＤＣＣＨ／ＰＣＦＩＣＨ／ＰＨＩＣＨ／ＰＤＳＣＨ上でまたはを介して、下りリンクデータ／制御情報を送信するという表現と同じ意味で使われる。
【００２９】
図１は、無線通信システムで使用される無線フレーム構造の一例を示す図である。特に、図１（ａ）は、３ＧＰＰ  ＬＴＥ／ＬＴＥ−Ａシステムで使用される周波数分割デュプレックス（Frequency Division Duplex，ＦＤＤ）用フレーム構造を示し、図１（ｂ）は、３ＧＰＰ  ＬＴＥ／ＬＴＥ−Ａシステムで使用される時間分割デュプレックス（Time Division Duplex，ＴＤＤ）用フレーム構造を示す。
【００３０】
図１を参照すると、３ＧＰＰ  ＬＴＥ／ＬＴＥ−Ａシステムで使用される無線フレームは、１０ｍｓ（３０７２００Ｔｓ）の長さを有し、１０個の均等なサイズのサブフレーム（SubFrame，ＳＦ）で構成される。１（個の）無線フレームにおける１０個のサブフレームには、それぞれ番号を与えることができる。ここで、Ｔｓはサンプリング時間を表し、Ｔｓ＝１／（２０４８＊１５ｋＨｚ）で表示される。それぞれのサブフレームは、１ｍｓの長さを有し、２個のスロットで構成される。１無線フレームにおいて、２０個のスロットには、０から１９までの番号を順次与えることができる。それぞれのスロットは、０．５ｍｓの長さを有する。１サブフレームを送信するための時間は、送信時間間隔（Transmission Time Interval，ＴＴＩ）と定義される。時間リソースは、無線フレーム番号（または無線フレームインデックスともいう）、サブフレーム番号（またはサブフレームインデックスともいう）、スロット番号（またはスロットインデックスともいう）などによって区別できる。
【００３１】
無線フレームは、デュプレックス（duplex）技法によって別々に構成することができる。例えば、ＦＤＤにおいて、下りリンク送信および上りリンク送信は、周波数によって区別されるため、無線フレームは、特定周波数帯域に対して下りリンクサブフレームまたは上りリンクサブフレームのいずれか一つのみを含む。ＴＤＤでは、下りリンク送信および上りリンク送信が時間によって区別されるため、特定周波数帯域に対して無線フレームは、下りリンクサブフレームと上りリンクサブフレームとを全て含む。
【００３２】
表１は、ＴＤＤモードにおいて、無線フレームにおけるサブフレームのＤＬ−ＵＬ構成を例示するものである。
【００３３】
＜表１＞
【表１】
2021503858.tif 000003
【００３４】
表１において、Ｄは下りリンクサブフレームを、Ｕは上りリンクサブフレームを、Ｓはスペシャル（特異）（special）サブフレームを表す。スペシャルサブフレームは、ＤｗＰＴＳ（Downlink Pilot Time Slot）、ＧＰ（Guard Period）、ＵｐＰＴＳ（Uplink Pilot Time Slot）の３つのフィールドを含む。ＤｗＰＴＳは、下りリンク送信のためにリザーブされる時間区間であり、ＵｐＰＴＳは、上りリンク送信のためにリザーブされる時間区間である。表２は、スペシャルサブフレーム構成を例示するものである。
【００３５】
＜表２＞
【表２】
2021503858.tif 000004
【００３６】
図２は、無線通信システムにおける下りリンク／上りリンク（ＤＬ／ＵＬ）スロット構造の一例を示す図である。特に、図２は、３ＧＰＰ  ＬＴＥ／ＬＴＥ−Ａシステムのリソースグリッド（resource grid）の構造を示す。アンテナポート当たり１個のリソースグリッドを有する。
【００３７】
図２を参照すると、スロットは、時間領域で複数のＯＦＤＭ（Orthogonal Frequency Division Multiplexing）シンボルを含み、周波数領域で複数のリソースブロック（Resource Block，ＲＢ）を含む。ＯＦＤＭシンボルは、１シンボル区間を意味することもある。図２を参照すると、各スロットで送信される信号は、
2021503858.tif 000005
の副搬送波（subcarrier）と
2021503858.tif 000006
のＯＦＤＭシンボルとで構成されるリソースグリッド（resource grid）で表現することができる。ここで、
2021503858.tif 000007
は、下りリンクスロットにおけるリソースブロック（Resource Block，ＲＢ）の数を表し、
2021503858.tif 000008
は、ＵＬスロットにおけるＲＢの数を表す。
2021503858.tif 000009
とは、ＤＬ送信帯域幅とＵＬ送信帯域幅とに、それぞれ依存する。
2021503858.tif 000010
は、下りリンクスロットにおけるＯＦＤＭシンボルの数を表し、
2021503858.tif 000011
は、ＵＬスロットにおけるＯＦＤＭシンボルの数を表す。
2021503858.tif 000012
は、一つのＲＢを構成する副搬送波の数を表す。
【００３８】
ＯＦＤＭシンボルは、多元（多重）接続方式によって、ＯＦＤＭシンボル、ＳＣ−ＦＤＭ（Single Carrier Frequency Division Multiplexing）シンボルなどと呼ぶことができる。一つのスロットに含まれるＯＦＤＭシンボルの数は、チャネル帯域幅、ＣＰ（Cyclic Prefix）長によって様々に変更可能である。例えば、ノーマル（正規）（normal）ＣＰの場合は、一つのスロットが７個のＯＦＤＭシンボルを含むが、拡張（extended）ＣＰの場合は、一つのスロットが６個のＯＦＤＭシンボルを含む。図２では、説明の便宜のために、一つのスロットが７（個の）ＯＦＤＭシンボルで構成されるサブフレームを例示するが、本発明の実施例は、その他の個数のＯＦＤＭシンボルを有するサブフレームにも同様の方式で適用されてもよい。図２を参照すると、各ＯＦＤＭシンボルは、周波数領域（ドメイン）において、
2021503858.tif 000013
の副搬送波を含む。副搬送波のタイプは、データ送信のためのデータ副搬送波、参照信号（reference signal）の送信のための参照信号副搬送波、ガードバンド（guard band）および直流（Direct Current，ＤＣ）成分のためのヌル（null）副搬送波に分類することができる。ＤＣ成分のためのヌル副搬送波は、未使用のまま残される副搬送波であり、ＯＦＤＭ信号生成過程または周波数アップ（上り）変換過程で搬送波周波数（carrier frequency，ｆ０）にマッピングされる。搬送波周波数は、中心周波数（center frequency）と呼ばれることもある。
【００３９】
１（個の）ＲＢは、時間領域において、
2021503858.tif 000014
（例えば、７個）の連続するＯＦＤＭシンボルとして定義され、周波数領域において、
2021503858.tif 000015
（例えば、１２個）の連続する副搬送波として定義される。参考として、一つのＯＦＤＭシンボルと一つの副搬送波とで構成されたリソースをリソース要素（Resource Element，ＲＥ）またはトーン（tone）という。したがって、一つのＲＢは、
2021503858.tif 000016
のリソース要素で構成される。リソースグリッド（格子）における各リソース要素は、一つのスロットにおけるインデックス対（ｋ，１）によって固有に定義できる。ｋは、周波数領域において０から
2021503858.tif 000017
まで与えられるインデックスであり、ｌは、時間領域において０から
2021503858.tif 000018
まで与えられるインデックスである。
【００４０】
１サブフレームにおいて、
2021503858.tif 000019
の連続した同一の副搬送波を占有しながら、当該サブフレームにおける２個のスロットのそれぞれに１個ずつ位置する２個のＲＢを物理リソースブロック（Physical Resource Block，ＰＲＢ）対（pair）という。ＰＲＢ対を構成する２個のＲＢは、同一のＰＲＢ番号（またはＰＲＢインデックス（index）ともいう）を有する。ＶＲＢは、リソース割り当てのために導入された一種の論理リソース割り当て単位である。ＶＲＢは、ＰＲＢと同じサイズを有する。ＶＲＢをＰＲＢにマッピングする方式によって、ＶＲＢは、局所（localized）タイプのＶＲＢと分散（distributed）タイプのＶＲＢとに区別される。局所タイプのＶＲＢは、ＰＲＢに直接マッピングされて、ＶＲＢ番号（ＶＲＢインデックスともいう）がＰＲＢ番号に直接対応する。即ち、ｎPRB＝ｎVRBとなる。局所タイプのＶＲＢには、０から
2021503858.tif 000020
に番号が与えられ、
2021503858.tif 000021
である。したがって、局所マッピング方式によれば、同一のＶＲＢ番号を有するＶＲＢが、１番目のスロットと２番目のスロットとにおいて、同一のＰＲＢ番号のＰＲＢにマッピングされる。一方、分散タイプのＶＲＢは、インターリーブを経てＰＲＢにマッピングされる。そのため、同一のＶＲＢ番号を有する分散タイプのＶＲＢは、１番目のスロットと２番目のスロットとにおいて互いに異なる番号のＰＲＢにマッピングされることがある。サブフレームの２つのスロットに１個ずつ位置し、同一のＶＲＢ番号を有する２個のＰＲＢをＶＲＢ対と称する。
【００４１】
図３は、３ＧＰＰ  ＬＴＥ／ＬＴＥ−Ａシステムで使用される下りリンク（DownLink、ＤＬ）サブフレーム構造を例示する図である。
【００４２】
図３を参照すると、ＤＬサブフレームは、時間領域で制御領域（control region）とデータ領域（data region）とに区別される。図３を参照すると、サブフレームの１番目のスロットにおいて、前側に位置する最大３個（または４個）のＯＦＤＭシンボルは、制御チャネルが割り当てられる制御領域（control region）に対応する。以下、ＤＬサブフレームでＰＤＣＣＨ送信に利用可能なリソース領域（resource region）をＰＤＣＣＨ領域と称する。制御領域に用いられるＯＦＤＭシンボル以外のＯＦＤＭシンボルは、ＰＤＳＣＨ（Physical Downlink Shared CHannel）が割り当てられるデータ領域（data region）に該当する。以下、ＤＬサブフレームでＰＤＳＣＨ送信に利用可能なリソース領域をＰＤＳＣＨ領域と称する。３ＧＰＰ  ＬＴＥで使用されるＤＬ制御チャネルの例としては、ＰＣＦＩＣＨ（Physical Control Format Indicator CHannel）、ＰＤＣＣＨ（Physical Downlink Control CHannel）、ＰＨＩＣＨ（Physical hybrid ARQ indicator CHannel）などがある。ＰＣＦＩＣＨは、サブフレームの最初のＯＦＤＭシンボルで送信され、サブフレームにおいて制御チャネルの送信に用いられるＯＦＤＭシンボルの数に関する情報を運ぶ。ＰＨＩＣＨは、ＵＬ送信に対する応答としてＨＡＲＱ（Hybrid Automatic Repeat reQuest）ＡＣＫ／ＮＡＣＫ（ACKnowledgment/Negative-ACKnowledgment）信号を運ぶ。
【００４３】
ＰＤＣＣＨを介して送信される制御情報を、下りリンク制御情報（Downlink Control Information，ＤＣＩ）と呼ぶ。ＤＣＩは、ＵＥもしくはＵＥグループのためのリソース割り当て情報ならびに他の制御情報を含む。例えば、ＤＣＩは、ＤＬ共有チャネル（DownLink Shared CHannel，ＤＬ−ＳＣＨ）の送信フォーマットおよびリソース割り当て情報、ＵＬ共有チャネル（UpLink Shared CHannel，ＵＬ−ＳＣＨ）の送信フォーマットおよびリソース割り当て情報、ページングチャネル（Paging CHannel，ＰＣＨ）上のページング情報、ＤＬ−ＳＣＨ上のシステム情報、ＰＤＳＣＨ上で送信されるランダムアクセス応答のような上位層（upper layer）制御メッセージのリソース割り当て情報、ＵＥグループ内の個別ＵＥへの送信電力制御命令（Transmit Control Command Set）、送信電力制御（Transmit Power Control）命令、ＶｏＩＰ（Voice over IP）の活性化（activation）指示情報、ＤＡＩ（Downlink Assignment Index）などを含む。ＤＬ共有チャネル（DownLink Shared CHannel，ＤＬ−ＳＣＨ）の送信フォーマット（Transmit Format）およびリソース割り当て情報は、ＤＬスケジューリング情報またはＤＬグラント（DL grant）とも呼ばれ、ＵＬ共有チャネル（UpLink Shared CHannel，ＵＬ−ＳＣＨ）の送信フォーマットおよびリソース割り当て情報は、ＵＬスケジューリング情報またはＵＬグラント（UL grant）とも呼ばれる。一つのＰＤＣＣＨが運ぶＤＣＩは、ＤＣＩフォーマットによってそのサイズおよび用途が異なり、符号化率によってそのサイズが異なる。現在、３ＧＰＰ  ＬＴＥシステムでは、上りリンク用にフォーマット０および４、下りリンク用にフォーマット１、１Ａ、１Ｂ、１Ｃ、１Ｄ、２、２Ａ、２Ｂ、２Ｃ、３、３Ａなどの様々なフォーマットが定義されている。ＤＣＩフォーマットのそれぞれの用途に応じて、ホッピングフラグ、ＲＢ割り当て（RB allocation）、ＭＣＳ（Modulation Coding Scheme）、ＲＶ（Redundancy Version）、ＮＤＩ（New Data Indicator）、ＴＰＣ（Transmit Power Control）、巡回シフトＤＭＲＳ（Cyclic Shift DeModulation Reference Signal）、ＵＬインデックス、ＣＱＩ（Channel Quality Information）要求、ＤＬ割り当てインデックス（DL assignment index）、ＨＡＲＱプロセスナンバ、ＴＰＭＩ（Transmitted Precoding Matrix Indicator）、ＰＭＩ（Precoding Matrix Indicator）情報などの制御情報が適宜選択された組み合わせが、下りリンク制御情報としてＵＥに送信される。
【００４４】
一般に、ＵＥに設定された送信モード（Transmission Mode，ＴＭ）によって、当該ＵＥに送信可能なＤＣＩフォーマットが異なる。換言すれば、特定送信モードに設定されたＵＥのためには、全てのＤＣＩフォーマットを使用できるのではなく、特定の送信モードに対応する一定のＤＣＩフォーマットのみを使用することができる。
【００４５】
ＰＤＣＣＨは、一つまたは複数の連続した制御チャネル要素（Control Channel Element，ＣＣＥ）のアグリゲーション（集成）（aggregation）上で送信される。ＣＣＥは、ＰＤＣＣＨに無線チャネル状態に基づく符号化率（coding rate）を提供するために用いられる論理的割り当てユニットである。ＣＣＥは、複数のリソース要素グループ（Resource Element Group，ＲＥＧ）に対応する。例えば、１（個の）ＣＣＥは、９個のＲＥＧに対応し、１（個の）ＲＥＧは、４個のＲＥに対応する。３ＧＰＰ  ＬＴＥシステムの場合、それぞれのＵＥのためにＰＤＣＣＨが位置可能なＣＣＥセットが具現される。ＵＥが自体のＰＤＣＣＨを発見し得るＣＣＥセットを、ＰＤＣＣＨサーチスペース（探索空間）、簡単にサーチスペース（Search Space，ＳＳ）と呼ぶ。サーチスペース内でＰＤＣＣＨが送信可能な個別リソースをＰＤＣＣＨ候補（candidate）と呼ぶ。ＵＥがモニタリングするＰＤＣＣＨ候補の集合をサーチスペースと定義する。３ＧＰＰ  ＬＴＥ／ＬＴＥ−Ａベースのシステムにおいて、それぞれのＤＣＩフォーマットのためのサーチスペースは、異なるサイズを有してもよく、専用（dedicated）サーチスペースと共通（common）サーチスペースとが定義されている。専用サーチスペースは、ＵＥ固有（特定）（specific）サーチスペースであり、それぞれの個別のＵＥのために設定される。共通サーチスペースは、複数のＵＥのために設定される。以下の表は、サーチスペースを定義するアグリゲーションレベル（aggregation level）を例示するものである。
【００４６】
＜表３＞
【表３】
2021503858.tif 000022
【００４７】
一つのＰＤＣＣＨ候補は、ＣＣＥアグリゲーションレベルによって１、２、４または８個のＣＣＥに対応する。ｅＮＢは、サーチスペース内の任意のＰＤＣＣＨ候補上で実際のＰＤＣＣＨ（ＤＣＩ）を送信し、ＵＥは、ＰＤＣＣＨ（ＤＣＩ）を探すためにサーチスペースをモニタリングする。ここで、モニタリングとは、全てのモニタリングされるＤＣＩフォーマットによって当該サーチスペース内の各ＰＤＣＣＨの復号（decoding）を試みることを意味する。ＵＥは、上記複数のＰＤＣＣＨをモニタリングし、自体のＰＤＣＣＨを検出することができる。基本的には、ＵＥは、自体のＰＤＣＣＨが送信される位置を知らないことから、各サブフレームごとに当該ＤＣＩフォーマットの全てのＰＤＣＣＨに対して、自体の識別子を有するＰＤＣＣＨを検出するまで復号を試みるが、このような過程をブラインド検出（blind detection）（ブラインド復号（Blind Decoding，ＢＤ））という。
【００４８】
ｅＮＢは、データ領域を介して、ＵＥまたはＵＥグループのためのデータを送信することができる。データ領域を通して送信されるデータを、ユーザデータと呼ぶこともできる。ユーザデータの送信のために、データ領域には、ＰＤＳＣＨ（Physical Downlink Shared CHannel）を割り当てることができる。ＰＣＨ（Paging CHannel）およびＤＬ−ＳＣＨ（DownLink-Shared CHannel）は、ＰＤＳＣＨを介して送信される。ＵＥは、ＰＤＣＣＨを介して送信される制御情報を復号し、ＰＤＳＣＨを介して送信されるデータを読むことができる。ＰＤＳＣＨのデータがどのＵＥまたはＵＥグループに送信されるか、上記ＵＥまたはＵＥグループがどのようにＰＤＳＣＨデータを受信して復号すればよいか、などを示す情報がＰＤＣＣＨに含まれて送信される。例えば、特定ＰＤＣＣＨが「Ａ」というＲＮＴＩ（Radio Network Temporary Identity）でＣＲＣ（Cyclic Redundancy Check）マスク（masking）されており、「Ｂ」という無線リソース（例えば、周波数位置）および「Ｃ」という送信形式情報（例えば、送信ブロックサイズ、変調方式、コーディング（符号化）情報など）を用いて送信されるデータに関する情報が、特定ＤＬサブフレームで送信されると仮定する。ＵＥは、自体の所有しているＲＮＴＩ情報を用いてＰＤＣＣＨをモニタリングし、「Ａ」というＲＮＴＩを有するＵＥは、ＰＤＣＣＨを検出し、受信したＰＤＣＣＨの情報によって「Ｂ」および「Ｃ」で示されるＰＤＳＣＨを受信する。
【００４９】
ＵＥがｅＮＢから受信した信号を復調するには、データ信号と比較する参照信号（Reference Signal，ＲＳ）が必要である。参照信号とは、ｅＮＢがＵＥにまたはＵＥがｅＮＢに送信し、ｅＮＢとＵＥとが互いに知っている、予め定義された特別な波形の信号を意味し、パイロット（pilot）とも呼ばれる。参照信号は、セル内の全ＵＥに共用されるセル固有（特定）（cell-specific）ＲＳと特定ＵＥに専用の復調（DeModulation）ＲＳ（ＤＭ  ＲＳ）とに区別される。ｅＮＢが特定ＵＥのための下りリンクデータの復調のために送信するＤＭ  ＲＳを、ＵＥ固有（UE-specific）ＲＳと特別に称することもできる。下りリンクにおけるＤＭ  ＲＳおよびＣＲＳは、共に送信されてもよいが、いずれか一方のみが送信されてもよい。ただし、下りリンクでＣＲＳなしでＤＭ  ＲＳのみが送信される場合、データと同じプリコーダを適用して送信されるＤＭ  ＲＳは、復調の目的にのみ用いることができるため、チャネル測定用ＲＳを別途に提供しなければならない。例えば、３ＧＰＰ  ＬＴＥ（−Ａ）では、ＵＥがチャネル状態情報を測定できるようにするために、追加の測定用ＲＳであるＣＳＩ−ＲＳが当該ＵＥに送信される。ＣＳＩ−ＲＳは、チャネル状態でついて相対的に時間による変化が大きくないという事実に着目し、各サブフレームごとに送信されるＣＲＳとは異なって、複数のサブフレームで構成される所定の送信周期ごとに送信される。
【００５０】
図４は、３ＧＰＰ  ＬＴＥ／ＬＴＥ−Ａシステムで使用される上りリンク（UpLink、ＵＬ）サブフレーム構造の一例を示す図である。
【００５１】
図４を参照すると、ＵＬサブフレームは、周波数領域で制御領域とデータ領域とに区別できる。一つまたは複数のＰＵＣＣＨ（Physical Uplink Control CHannels）が、上りリンク制御情報（Uplink Control Information，ＵＣＩ）を運ぶために、制御領域に割り当てられることができる。一つまたは複数のＰＵＳＣＨ（Physical Uplink Shared CHannels）が、ユーザデータを運ぶために、ＵＬサブフレームのデータ領域に割り当てられてもよい。
【００５２】
ＵＬサブフレームでは、ＤＣ（Direct Current）副搬送波から遠く離れた副搬送波が制御領域として用いられる。換言すれば、ＵＬ送信帯域幅の両端部に位置する副搬送波が上りリンク制御情報の送信に割り当てられる。ＤＣ副搬送波は、信号送信に用いられずに残される成分であり、周波数アップ変換過程で搬送波周波数ｆ０にマッピングされる。一つのＵＥのＰＵＣＣＨは、一つのサブフレームにおいて、一つの搬送波周波数で動作するリソースに属するＲＢ対に割り当てられ、このＲＢ対に属するＲＢは、２つのスロットでそれぞれ異なる副搬送波を占有する。このように割り当てられるＰＵＣＣＨを、ＰＵＣＣＨに割り当てられたＲＢ対がスロット境界で周波数ホッピングすると表現する。ただし、周波数ホッピングが適用されない場合には、ＲＢ対が同一の副搬送波を占有する。
【００５３】
ＰＵＣＣＨは、例えば、次の制御情報を送信するために用いることができる。
【００５４】
−ＳＲ（Scheduling Request）：上りリンクＵＬ−ＳＣＨリソースを要求するために用いられる情報である。ＯＯＫ（On-Off Keying）方式を用いて送信される。
【００５５】
−ＨＡＲＱ−ＡＣＫ：ＰＤＣＣＨに対する応答および／またはＰＤＳＣＨ上の下りリンクデータパケット（例えば、コードワード）に対する応答である。ＰＤＣＣＨまたはＰＤＳＣＨが成功裏に受信されたか否かを示す。単一下りリンクコードワードに対する応答としてＨＡＲＱ−ＡＣＫ  １ビットが送信され、２つの下りリンクコードワードに対する応答としてＨＡＲＱ−ＡＣＫ  ２ビットが送信される。ＨＡＲＱ−ＡＣＫ応答は、ポジティブＡＣＫ（簡単に、ＡＣＫ）、ネガティブＡＣＫ（以下、ＮＡＣＫ）、ＤＴＸ（Discontinuous Transmission）またはＮＡＣＫ／ＤＴＸを含む。ここで、ＨＡＲＱ−ＡＣＫという用語は、ＨＡＲＱ  ＡＣＫ／ＮＡＣＫ、ＡＣＫ／ＮＡＣＫと同じ意味で使われる。
【００５６】
−ＣＳＩ（Channel State Information）：下りリンクチャネルに対するフィードバック情報である。ＭＩＭＯ（Multiple Input Multiple Output）関連フィードバック情報は、ＲＩ（Rank Indicator）およびＰＭＩ（Precoding Matrix Indicator）を含む。
【００５７】
ＵＥがサブフレームで送信可能な上りリンク制御情報（ＵＣＩ）の量は、制御情報送信に使用可能なＳＣ−ＦＤＭＡの数に依存する。ＵＣＩに使用可能なＳＣ−ＦＤＭＡは、サブフレームにおいて参照信号の送信のためのＳＣ−ＦＤＭＡシンボルを除く残りのＳＣ−ＦＤＭＡシンボルを意味し、ＳＲＳ（Sounding Reference Signal）が設定されたサブフレームでは、サブフレームの最後のＳＣ−ＦＤＭＡシンボルも除く。参照信号は、ＰＵＣＣＨのコヒーレント（coherent）検出に用いられる。ＰＵＣＣＨは、送信される情報によって様々なフォーマットをサポートする。
【００５８】
表４は、ＬＴＥ/ＬＴＥ−ＡシステムにおけるＰＵＣＣＨフォーマットとＵＣＩとのマッピング関係を示す。
【００５９】
＜表４＞
【表４】
2021503858.tif 000023
【００６０】
表４を参照すると、主にＰＵＣＣＨフォーマット１系列は、ＡＣＫ／ＮＡＣＫ情報を送信するために用いられ、ＰＵＣＣＨフォーマット２系列は、ＣＱＩ／ＰＭＩ／ＲＩなどのチャネル状態情報（Channel State Information，ＣＳＩ）を運ぶために用いられ、ＰＵＣＣＨフォーマット３系列は、ＡＣＫ／ＮＡＣＫ情報を送信するために用いられる。
【００６１】
参照信号（Reference Signal；ＲＳ）
【００６２】
無線通信システムにおいてパケットを送信するとき、パケットは無線チャネルを通じて送信されるため、送信過程で信号の歪みが発生することがある。歪んだ信号を受信側で正しく受信するためには、チャネル情報を用いて受信信号において歪みを補正しなければならない。チャネル情報を知るために、送信側と受信側との両方で知っている信号を送信し、該信号がチャネルを通じて受信されるときの歪みの度合からチャネル情報を把握する方法を主に用いる。この信号をパイロット信号（Pilot Signal）または参照信号（Reference Signal）という。
【００６３】
マルチ（多重）アンテナを用いてデータを送受信する場合、各送信アンテナと受信アンテナとの間のチャネル状況を知らないと、正しい信号を受信することができない。したがって、各送信アンテナごとに、より詳しくはアンテナポート（antenna port）ごとに、異なった参照信号が存在しなければならない。
【００６４】
参照信号は、上りリンク参照信号と下りリンク参照信号とに区別できる。現在、ＬＴＥシステムにおいては、上りリンク参照信号として、
【００６５】
ｉ）ＰＵＳＣＨおよびＰＵＣＣＨを介して送信された情報のコヒーレント（coherent）な復調のためのチャネル推定のための復調参照信号（DeModulation-Reference Signal，ＤＭ−ＲＳ）、ならびに
【００６６】
ｉｉ）基地局が、ネットワークの異なる周波数における上りリンクチャネル品質を測定するためのサウンディング参照信号（Sounding Reference Signal，ＳＲＳ）を含む。
【００６７】
一方、下りリンク参照信号としては、例えば、
【００６８】
ｉ）セル内の全ての端末が共有するセル固有の参照信号（Cell-specific Reference Signal，ＣＲＳ）、
【００６９】
ｉｉ）特定の端末のみのための端末固有の参照信号（UE-specific Reference Signal）、
【００７０】
ｉｉｉ）ＰＤＳＣＨが送信される場合に、コヒーレントな復調のために送信される復調用参照信号（DeModulation-Reference Signal，ＤＭ−ＲＳ）、
【００７１】
ｉｖ）下りリンクＤＭＲＳが送信される場合に、チャネル状態情報（Channel State Information；ＣＳＩ）を伝達するためのチャネル状態情報の参照信号（Channel State Information-Reference Signal，ＣＳＩ−ＲＳ）、
【００７２】
ｖ）ＭＢＳＦＮ（Multimedia Broadcast Single Frequency Network）モードで送信される信号に対するコヒーレントな復調のために送信されるＭＢＳＦＮ参照信号（MBSFN Reference Signal）、および
【００７３】
ｖｉ）端末の地理的位置情報を推定するために用いられる位置参照信号（Positioning Reference Signal）がある。
【００７４】
参照信号は、その目的によって２種類に大別できる。チャネル情報取得のために用いられる参照信号と、データ復調のために用いられる参照信号と、がある。前者は、ＵＥが下りリンク上のチャネル情報を取得できるようにすることに目的があるため、広帯域に送信されなければならず、特定サブフレームで下りリンクデータを受信しない端末であっても、その参照信号を受信しなければならない。また、これは、ハンドオーバなどの状況でも用いられる。後者は、基地局が下りリンクを送るときに該当のリソースに共に送る参照信号であって、端末は、当該参照信号を受信することによってチャネル測定を行ってデータを復調することができる。この参照信号は、データの送信される領域で送信されなければならない。
【００７５】
ＴＴＩ（Transmission Time Interval）
【００７６】
上述した遅延減少、即ち、低い遅延（low Latency）を満たすために、データ送信の最小単位であるＴＴＩを縮めて０．５ｍｓｅｃ以下の短いＴＴＩ（ｓＴＴＩ）を新しくデザインする必要がある。例えば、図５に示すように、ｅＮＢがデータ（ＰＤＣＣＨおよびＰＤＳＣＨ）の送信を開始してからＵＥがＡ／Ｎ（ＡＣＫ／ＮＡＣＫ）の送信を完了するまでのユーザプレーン（User Plane；Ｕ−ｐｌａｎｅ）遅延を１ｍｓｅｃに減らすためには、約３（個の）ＯＦＤＭシンボルを単位としてｓＴＴＩを構成することができる。
【００７７】
下りリンクの環境では、かかるｓＴＴＩ内におけるデータの送信／スケジューリングのためのＰＤＣＣＨ（即ち、ｓＰＤＣＣＨ）とｓＴＴＩ内で送信が行われるＰＤＳＣＨ（即ち、ｓＰＤＳＣＨ）とが送信されることができ、例えば、図６に示すように、一つのサブフレーム内に複数のｓＴＴＩが互いに異なるＯＦＤＭシンボルを使用して構成されることができる。特徴的には、ｓＴＴＩを構成するＯＦＤＭシンボルは、レガシ制御チャネルが送信されるＯＦＤＭシンボルを除いて構成される。ｓＴＴＩ内におけるｓＰＤＣＣＨおよびｓＰＤＳＣＨの送信は、互いに異なるＯＦＤＭシンボル領域を使用してＴＤＭ（Time Division Multiplexing）された形態で送信され、互いに異なるＰＲＢ領域／周波数リソースを使用してＦＤＭ（Frequency Division Multiplexing）された形態で送信されることもできる。
【００７８】
上りリンクの環境でも、上述した下りリンクの環境のように、ｓＴＴＩ内でデータの送信／スケジューリングが可能であり、既存のＴＴＩベースのＰＵＣＣＨおよびＰＵＳＣＨに対応するチャネルをｓＰＵＣＣＨ、ｓＰＵＳＣＨと称する。
【００７９】
この明細書では、ＬＴＥ／ＬＴＥ−Ａシステムを基準として発明を説明する。既存のＬＴＥ／ＬＴＥ−Ａにおいて、１ｍｓのサブフレームは、ノーマル（一般）ＣＰを有する場合、１４個のＯＦＤＭシンボルで構成され、これを１ｍｓより短い単位のＴＴＩを構成する場合、一つのサブフレーム内に複数のＴＴＩを構成できる。複数のＴＴＩを構成する方式では、以下の図７に示した実施例のように、２（個の）シンボル、３シンボル、４シンボル、７シンボルが一つのＴＴＩを構成できる。図示していないが、１シンボルのＴＴＩを有する場合も考えることができる。１シンボルが一つのＴＴＩ単位になる場合、２個のＯＦＤＭシンボルでレガシＰＤＣＣＨを送信するという仮定の下で、１２個のＴＴＩが生成される。同様に、図７の（ａ）のように、２シンボルが一つのＴＴＩ単位になると、６個のＴＴＩ、図７の（ｂ）のように、３シンボルが一つのＴＴＩ単位になると、４個のＴＴＩ、図７の（ｃ）のように、４シンボルが一つのＴＴＩ単位になると、３個のＴＴＩを生成できる。勿論、この場合、最初の２個のＯＦＤＭシンボルは、レガシＰＤＣＣＨが送信されると仮定する。
【００８０】
図７の（ｄ）に示したように、７個のシンボルが一つのＴＴＩを構成する場合、レガシＰＤＣＣＨを含む７個のシンボル単位の一つのＴＴＩと、後続する７個のシンボルが一つのＴＴＩを構成できる。このとき、ｓＴＴＩをサポートする端末の場合、一つのＴＴＩが７シンボルで構成されると、一つのサブフレームの前側に位置するＴＴＩ（１番目のスロット）については、レガシＰＤＣＣＨが送信される前側の２個のＯＦＤＭシンボルに対しては、パンクチャまたはレートマッチングが行われたと仮定し、その後の５個のシンボルに自体のデータおよび／または制御情報が送信されると仮定する。反面、一つのサブフレームの後側に位置するＴＴＩ（２番目のスロット）に対して、端末は、パンクチャやレートマッチングが行われるリソース領域なしで、７個のシンボル全てでデータおよび／または制御情報を送信できると仮定する。
【００８１】
また、本発明では、２個のＯＦＤＭシンボル（以下、“ＯＳ”）で構成されたｓＴＴＩと３個のＯＳで構成されたｓＴＴＩとが、図８のように一つのサブフレーム内に混合されて存在するｓＴＴＩ構造も考慮する。このような２−ＯＳまたは３−ＯＳのｓＴＴＩで構成されたｓＴＴＩを、簡単に２−シンボルｓＴＴＩ（即ち、２−ＯＳ  ｓＴＴＩ）と定義する。また、２−シンボルｓＴＴＩまたは３−シンボルｓＴＴＩを、簡単に２−シンボルＴＴＩまたは３−シンボルＴＴＩと称することもでき、これらは、全て本発明で前提としているレガシＴＴＩである１ｍｓ  ＴＴＩより短いＴＴＩであることは明らかである。即ち、この明細書において“ＴＴＩ”と称してもｓＴＴＩであることができ、その名称に関係なく、本発明ではレガシＴＴＩより短い長さのＴＴＩで構成されたシステムにおける通信方式を提案する。
【００８２】
この明細書において、ニューマロロジとは、該当無線通信システムに適用されるＴＴＩ長、副搬送波間隔などの決定、所定のＴＴＩ長もしくは副搬送波間隔などのパラメータまたはそれらに基づく通信構造もしくはシステムなどを意味する。
【００８３】
図８の（ａ）に示した＜３，２，２，２，２，３＞ｓＴＴＩパターンでは、ＰＤＣＣＨのシンボル数によってｓＰＤＣＣＨが送信されることができる。図８の（ｂ）に示した＜２，３，２，２，２，３＞ｓＴＴＩパターンでは、レガシＰＤＣＣＨ領域のためにｓＰＤＣＣＨの送信が難しい。
【００８４】
ＵＬ  ｔｒａｎｓｍｉｓｓｉｏｎ  ｗｉｔｈ  ｒｅｐｅｔｉｔｉｏｎ
【００８５】
今後のシステム（例えば、５Ｇ  Ｎｅｗ  ＲＡＴ）では、より広い周波数帯域を使用し、様々なサービスまたは要求事項のサポートを志向している。一例として、３ＧＰＰのＮＲ要求事項では、代表シナリオの一つであるＵＲＬＬＣ（Ultra Reliable and Low Latency Communication）の場合、０．５ｍｓのユーザプレーンの遅延で、Ｘバイトのデータを１ｍｓ内に１０^−５のエラーレート（率）内で、送信する低遅延・超信頼度を要求している。一般的には、ｅＭＢＢ（enhanced Mobile BroadBand）は、トラフィック容量が大きいが、ＵＲＬＬＣトラフィックは、ファイルのサイズが数十〜数百バイト以内であり、散発的に発生するなど、ｅＭＢＢとＵＲＬＬＣとの特性が各々異なる。したがって、通常、ｅＭＢＢには、送信レート（率）を極大にし、制御情報のオーバーヘッドを最小にする送信が活用され、ＵＲＬＬＣには、短いスケジューリング時間単位および信頼性のある送信が活用される。
【００８６】
応用分野またはトラフィックの種類によっては、物理チャネルの送受信に仮定／使用する基準時間の単位は、様々である。基準時間は、特定の物理チャネルをスケジューリングするための基本単位であり、該当スケジューリング単位を構成するシンボル数および／またはＳＣＳ（SubCarrier Spacing）などによって基準時間の単位が変化する。
【００８７】
この明細書の実施例では、説明の便宜上、基準時間の単位をスロットおよびミニスロットと仮定する。スロットは、一例として一般的なデータトラフィック（例えば、ｅＭＢＢ）に使用されるスケジューリング基本単位である。ミニスロットは、時間領域においてスロットより小さい時間区間を有し、より特別な目的のトラフィックまたは通信方式（例えば、ＵＲＬＬＣ、ｕｎｌｉｃｅｎｓｅｄ  ｂａｎｄもしくはｍｉｌｌｉｍｅｔｅｒ  ｗａｖｅなど）で使用するスケジューリングの基本単位である。ただし、上記実施例は、本発明を説明するためのものであり、ｅＭＢＢがミニスロットに基づいて物理チャネルを送受信する場合、またはＵＲＬＬＣや他の通信技法がスロットに基づいて物理チャネルを送受信する場合にも、本発明の思想から拡張可能である。
【００８８】
［Ｐｒｏｐｏｓａｌ  １］ＵＬ  ｃｏｌｌｉｓｉｏｎ  ｗｉｔｈ  ｒｅｐｅｔｉｔｉｏｎ
【００８９】
ＵＲＬＬＣのようにサービスまたはより厳しいＢＬＥＲ（Block Error Rate）／遅延／信頼性の要件を要求するトラフィックに対する送信の場合、時間領域繰り返しが考えられる。例えば、特定のＴＢ（Transport Block）／ＣＢ（Code Block）（またはＣＢ  ｇｒｏｕｐ）のより高い信頼性（および／またはより短い遅延）を目的として、ＴＴＩ／スロット／シンボル単位の繰り返しが該当チャネルに適用されることができる。このような繰り返しは、ＳＰＳ（Semi-Persistence Scheduling）もしくはＳＰＳと類似するＰＤＣＣＨ−ｌｅｓｓチャネルの送信に適用されることができ、ＴＴＩバンドリングのような形態であることもでき、またはＮＲで考えられる予め上位層信号により設定されたリソースでＵＬチャネルを送信するＧｒａｎｔ−ｆｒｅｅ  ＵＬチャネル繰り返し送信の形態で適用されることもできる。
【００９０】
［Ｐｒｏｐｏｓａｌ  １−１］
【００９１】
特定のＴＢ／ＣＢ（グループ）に対して、ＴＴＩ／スロット／シンボル単位の繰り返しが設定／指示された場合、該当の繰り返しの間に端末の送信電力を維持させることが自然である。そうでないと、繰り返しの間に好ましくない電力過渡区間が発生することができ、電力過渡区間によってＤＭＲＳオーバーヘッドの軽減のために複数のＴＴＩ／スロット間のＤＭＲＳ  ｂｕｎｄｌｉｎｇ／ｓｈａｒｉｎｇの際に制約が発生し得る。ただし、キャリアアグリゲーション（搬送波集成）（ＣＡ）の状況やＰＵＳＣＨ／ＰＵＣＣＨ同時送信のように、繰り返しの間に一部のＴＴＩ／スロット／シンボルで、端末は、電力制限状況になることができ、これによって不可避に電力変更が必要な状況が発生し得る。かかる状況では、以下のような端末の動作が具現される。
【００９２】
−Ｏｐｔｉｏｎ１：端末は、繰り返しに該当する全てのＴＴＩ／スロット／シンボルについて同じ電力を維持する。この場合、他のＴＴＩ／スロット／シンボルの電力割り当てにおいて、既存の電力割り当て規則とは異なる方式で電力が割り当てられる必要がある。一例として、ＰＵＳＣＨ／ＰＵＣＣＨ同時送信のとき、一般的には、まず、ＰＵＣＣＨの電力を割り当て、残りの電力がＰＵＳＣＨに割り当てられる。このＯｐｔｉｏｎ１の規則によれば、ＵＥは、まず繰り返されているＰＵＳＣＨの電力を割り当て、残りの電力をＰＵＣＣＨに割り当てるように規定されることができる。
【００９３】
−Ｏｐｔｉｏｎ２：端末は、繰り返しの途中に電力変更が必要なＴＴＩ／スロット／シンボルが発生する場合、繰り返しの動作を中断することができる。
【００９４】
−Ｏｐｔｉｏｎ３：ＤＭＲＳ  ｂｕｎｄｌｉｎｇ／ｓｈａｒｉｎｇが適用される時間区間（time duration）の単位で電力変更が許可（許容）される（permitted）こともできる。より詳しくは、ＤＭＲＳ  ｂｕｎｄｌｉｎｇ／ｓｈａｒｉｎｇが適用（提要）される時間区間内の第１のＴＴＩで電力変更が必要なときは、電力変更を許可することができる。しかしながら、ＤＭＲＳ  ｂｕｎｄｌｉｎｇ／ｓｈａｒｉｎｇが適用される時間区間内の第１のＴＴＩではない、途中の（中間）（middle）ＴＴＩで電力変更が必要なときには、繰り返されているチャネルをドロップ（省略）（drop）するように規定されるか、またはＯｐｔｉｏｎ１のように電力を維持し、既存の規則とは異なる電力割り当てに従うように規定することができる。繰り返されているチャネルのドロップは、ＤＭＲＳ  ｂｕｎｄｌｉｎｇ／ｓｈａｒｉｎｇが適用される時間区間内の電力変更が必要なＴＴＩに限ってのみドロップでき、ＤＭＲＳ  ｂｕｎｄｌｉｎｇ／ｓｈａｒｉｎｇが適用される時間区間内の電力変更が必要なＴＴＩ以後の時間区間内の全てのＴＴＩに対してドロップされることもでき、ＤＭＲＳ  ｂｕｎｄｌｉｎｇ／ｓｈａｒｉｎｇが適用される時間区間内の電力変更が必要なＴＴＩ以後の繰り返しの終了までの全てのＴＴＩに対してドロップされることもできる。
【００９５】
ＳＲ（scheduling Request）およびスケジュール遅延（scheduling delay）に基づくＵＬデータチャネルの遅延を減らすために、ＳＰＳベース、Ｇｒａｎｔ−ｆｒｅｅまたはＴＴＩ  ｂｕｎｄｌｉｎｇベースのＵＬ送信が考えられることができる。また、これは、制御オーバーヘッド（例えば、制御チャネルオーバーヘッド）も軽減させる方式になる。ＵＲＬＬＣのようなサービスまたはより厳しいＢＬＥＲ／遅延／信頼性の要件を要求するトラフィックに対する送信である場合、繰り返しが共に考えられる。このようなＳＰＳベースまたはＧｒａｎｔ−ｆｒｅｅベースのＵＬ繰り返し送信にも、上記Ｏｐｔｉｏｎ１／２による動作を適用することができる。
【００９６】
［Ｐｒｏｐｏｓａｌ  １−２］
【００９７】
特定のＴＢ／ＣＢ（グループ）に対して、ＴＴＩ／スロット／シンボル単位の繰り返しが設定／指示された場合、ネットワークがＤＭＲＳ  ｂｕｎｄｌｉｎｇ／ｓｈａｒｉｎｇが適用される時間区間関連情報をＴＴＩ／スロット／シンボル単位で端末に提供するように規定することができる。具体的には、ネットワークは、ＤＭＲＳ  ｂｕｎｄｌｉｎｇ／ｓｈａｒｉｎｇが適用される時間区間ごとに異なるＲＳスクランブルＩＤを割り当てるか、ＤＣＩにより位相連続性（phase continuity）関連情報を提供するか、または準静的（semi-static）に（例えば、ＲＲＣシグナリングで）予めＤＭＲＳ  ｂｕｎｄｌｉｎｇ／ｓｈａｒｉｎｇが適用される時間区間を設定することができる。
【００９８】
［Ｐｒｏｐｏｓａｌ  １−３］
【００９９】
ＳＰＳベースまたはＧｒａｎｔ−ｆｒｅｅベースのＵＬ送信の場合、各々の個別チャネルをスケジューリングするＵＬグラントＤＣＩがないので、ＳＰＳベースまたはＧｒａｎｔ−ｆｒｅｅベースのＵＬ送信に対する閉ループ電力調節（closed-loop power adjustment）のために、グループ共通のＤＣＩ（例えば、ＬＴＥにおけるＤＣＩフォーマット３／３Ａ）によりＴＰＣ（Transmit Power Control）のアップデートが行われることができる。ＳＰＳベースまたはＧｒａｎｔ−ｆｒｅｅもしくはＴＴＩ  ｂｕｎｄｌｉｎｇベースのＵＬ送信に対して繰り返しが設定／指示された場合、ＴＰＣアップデート動作に対する定義が必要である。
【０１００】
一例として、ＴＰＣ情報が｛ｉ−Ｋ＿ＰＵＳＣＨ｝番目のＴＴＩで送信され、ＵＥがＴＰＣ情報をｉ番目のＴＴＩに適用するように規定されることができる。かかる状況で、ｉ番目のＴＴＩが特定のＴＢ／ＣＢ（グループ）に対する繰り返しの途中（中間）に位置するＴＴＩに該当する場合、かかるＴＰＣアップデート（例えば、ＴＰＣ情報の適用）が繰り返しに該当する全てのＴＴＩ／スロット／シンボルに適用されないように規定することができる。この場合、該当ＴＰＣ情報によるＴＰＣアップデートは、繰り返し後、１番目の送信機会に該当するＴＴＩから適用できる。さらに他の方式として、ＴＰＣアップデートが繰り返しの途中で特定のＴＴＩに適用される場合、ＴＰＣアップデートが適用されたＴＴＩとＴＰＣアップデートが適用される前のＴＴＩとの間のＤＭＲＳ  ｂｕｎｄｌｉｎｇ／ｓｈａｒｉｎｇが適用されないように規定することができる。
【０１０１】
［Ｐｒｏｐｏｓａｌ  １−４］
【０１０２】
ＳＰＳベースまたはＧｒａｎｔ−ｆｒｅｅベースのＵＬ送信の場合、初期送信に対するＨＡＲＱプロセスＩＤがＴＴＩインデックスにより決定されることができる。
【０１０３】
一例として、ＬＴＥの場合、以下の数式１により初期送信に対するＨＡＲＱプロセスＩＤが決定される。
【０１０４】
［数式１］
ＨＡＲＱプロセスＩＤ＝［ｆｌｏｏｒ｛ＣＵＲＲＥＮＴ＿ＴＴＩ／ｓｅｍｉＰｅｒｓｉｓｔｅｎｔＳｃｈｅｄＩｎｔｅｒｖａｌＵＬ｝］ｍｏｄｕｌｏ  ｎｕｍｂｅｒＯｆＣｏｎｆＵｌＳＰＳ＿Ｐｒｏｃｅｓｓｅｓ
【０１０５】
数式１において、ＣＵＲＲＥＮＴ＿ＴＴＩは、ＣＵＲＲＥＮＴ＿ＴＴＩ＝［（ＳＦＮ＊１０）＋ｓｕｂｆｒａｍｅ  ｎｕｍｂｅｒ］のように定義され、バンドリングの最初の送信が行われるＴＴＩを意味する。パラメータｓｅｍｉＰｅｒｓｉｓｔｅｎｔＳｃｈｅｄＩｎｔｅｒｖａｌＵＬは、ＵＬ  ＳＰＳ送信の間隔を意味し、ｆｌｏｏｒ｛Ｘ｝は、Ｘを超えない最大の整数を意味し、パラメータは、ｎｕｍｂｅｒＯｆＣｏｎｆＵｌＳＰＳ＿Ｐｒｏｃｅｓｓｅｓ  ＵＥに設定されたＵＬ  ＳＰＳプロセスの数を意味する。
【０１０６】
ＳＰＳベースまたはＧｒａｎｔ−ｆｒｅｅもしくはＴＴＩ  ｂｕｎｄｌｉｎｇベースのＵＬ送信に対して繰り返しが設定／指示された場合、初期送信に対するＨＡＲＱプロセスＩＤは、繰り返しチャンク（repetition chunk）に含まれた特定のＴＴＩインデックス（例えば、繰り返しチャンク内の１番目のＴＴＩインデックス）により計算されるように規定できる。
【０１０７】
この場合、動的スケジュール（例えば、Ｎｏｎ−ＳＰＳ  ＤＣＩ）によってまたはより高い優先順位を有するトラフィック／チャネルなどによって、繰り返しチャンクに含まれた該当ＴＴＩ（例えば、ＨＡＲＱプロセスＩＤの決定に基礎となるＴＴＩ）送信がドロップされる場合、ＳＰＳベースまたはＧｒａｎｔ−ｆｒｅｅもしくはＴＴＩ  ｂｕｎｄｌｉｎｇベースのＵＬ送信に対して、繰り返しに対するＨＡＲＱプロセスＩＤの決定方法を以下のように提案する。
【０１０８】
−Ｏｐｔｉｏｎ１：該当ＴＴＩの実際の送信／ドロップの有無に関係なく、ＨＡＲＱプロセスＩＤは、繰り返しチャンク（chunk）の特定のＴＴＩインデックス（例えば、繰り返しチャンク内の１番目のＴＴＩのインデックス）によって計算されるように規定できる。
【０１０９】
−Ｏｐｔｉｏｎ２：実際に送信されるＴＴＩインデックスによって、ＨＡＲＱプロセスＩＤが計算されるように規定できる。一例として、繰り返しチャンクに該当するＴＴＩのうち、ドロップされない１番目のＴＴＩのインデックスによってＨＡＲＱプロセスＩＤが決定されることができる。
【０１１０】
［Ｐｒｏｐｏｓａｌ  １−５］
【０１１１】
特定のＴＢ／ＣＢ（グループ）に対するＵＬ送信に対して繰り返しが設定／指示された場合、ＯＬＰＣ（Open-Loop Power Control）パラメータ（例えば、Ｐ＿Ｏ、ａｌｐｈａ）および／またはＴＰＣ蓄積（accumulation）のために、所定の増減値などがＰＵＳＣＨ／ＰＵＣＣＨ繰り返し回数ごとに異なるように設定されることができる。
【０１１２】
例えば、端末は、設定／指示された繰り返し回数によって異なる値のＯＬＰＣパラメータを適用して最終送信電力を決定することができる。他の一例として、端末は、設定／指示された繰り返し回数によって特定のＴＰＣコマンド（command）を異なる値として解釈することができる。
【０１１３】
［Ｐｒｏｐｏｓａｌ  １−６］
【０１１４】
ＴＤＤの場合、連続するＤＬまたはＵＬ  ＴＴＩの回数が設定／指示された繰り返し回数より少ないことができる。この場合、端末が同一方向の次の送信機会が来るまで待機すると、遅延が増加することができるが、厳しい遅延要件の場合には好ましくない。動的スケジューリングによる繰り返しの場合は、基地局が繰り返し回数を調節することができる。しかしながら、準静的ベースの繰り返しの場合には、繰り返し回数を自由に調節することが難しい。したがって、特定の方向（例えば、ＤＬまたはＵＬ）の送信に対する繰り返しの途中、上記特定の方向とは異なる方向のＴＴＩが存在する場合、繰り返しを中止するように規定することができる。かかる場合、特定の信頼性要件を満たすために必要な繰り返し回数に比べて少ない送信が行われる。このように、連続するＤＬまたはＵＬ  ＴＴＩの回数が設定／指示された繰り返し回数より少ない場合、より大きいＯＬＰＣパラメータ（例えば、Ｐ＿Ｏ、ａｌｐｈａ）が繰り返し送信に適用されるように規定することができる。また、連続するＤＬまたはＵＬ  ＴＴＩの回数が設定／指示された繰り返し回数より少ない場合のための別途のＴＰＣ蓄積のための増減値が定義されることができる。
【０１１５】
さらに他の方式として、特定の方向（ＤＬまたはＵＬ）の送信に対する繰り返しの途中、異なる方向のＴＴＩが存在する場合、このＴＴＩによるギャップがＤＭＲＳ  ｂｕｎｄｌｉｎｇ／ｓｈａｒｉｎｇの適用に十分なコヒーレンス時間以内であるか否かによって、繰り返しを持続するか否かを決定するように規定できる。一例として、異なる方向のＴＴＩによるギャップのため、ＤＭＲＳ  ｂｕｎｄｌｉｎｇしたときに性能が劣化する程度であると判断されると、ＵＥは、繰り返しを中止することができ、そうでない場合、繰り返しを持続することができる。このとき、判断の基準となる最大ギャップがＴＴＩ／スロット／シンボル単位で予め定義されるか、または上位層信号もしくは物理層信号により設定／指示されることができる。
【０１１６】
［Ｐｒｏｐｏｓａｌ  １−７］
【０１１７】
ＵＬチャネル推定の性能を高めるために、ＳＲＳ（Sounding Reference Signal）送信の繰り返しが具現されることができる。特に、ネットワークは、ＳＲＳの繰り返し送信を一つのＤＣＩによりトリガすることができる。ＳＲＳ繰り返し回数、ＳＲＳ送信開始ＴＴＩ／スロット／シンボル、ＳＲＳ送信終了ＴＴＩ／スロット／シンボル、ＳＲＳ送信開始時点から繰り返す長さおよびＳＲＳ送信帯域などに関する情報のうちのいずれか一つが予め定義されるか、または上位／物理層信号により設定／指示されることができる。
【０１１８】
より特徴的には、ＳＲＳの繰り返し送信の間にＳＲＳの送信リソースが予め定義されたまたは上位／物理層信号により設定／指示されたパターンに従って、周波数軸でＴＴＩ／スロット／シンボルによって異なるように決定されることができる。これは、より広い周波数リソースにＳＲＳ送信できるようにするためのものである。
【０１１９】
ＳＲＳ繰り返し送信がサポートされる場合、ＳＲＳに対するＯＬＰＣパラメータ（例えば、Ｐ＿Ｏ、ａｌｐｈａ）および／またはＴＰＣ蓄積のために予め定義された増減値などがＳＲＳの繰り返し回数および／またはＳＲＳの送信帯域幅（すなわち、ＲＢ数）ごとに異なるように設定されることができる。また、ＳＲＳ繰り返し送信がサポートされる場合、Ｐ＿ＳＲＳ＿ｏｆｆｓｅｔ値がＳＲＳの繰り返し回数および／またはＳＲＳの送信帯域幅（すなわち、ＲＢ数）ごとに異なるように設定されることができる。
【０１２０】
［Ｐｒｏｐｏｓａｌ  １−８］
【０１２１】
ＰＵＣＣＨに対してＴＴＩ／スロット／シンボル単位の繰り返しが設定／指示された場合、繰り返しの途中に更なるＨＡＲＱ−ＡＣＫ（もしくはＣＳＩ）が送信されたり、または（ＰＵＣＣＨ／ＰＵＳＣＨ同時送信を行えないＵＥに）ＰＵＳＣＨがトリガ／スケジューリングされる状況が考えられる。かかる動作が許可されない場合、一例としてＰＵＣＣＨ繰り返しの途中でＨＡＲＱ−ＡＣＫ送信を要求するＤＬデータ送信ができないことがある。
【０１２２】
−Ｏｐｔｉｏｎ１：ＰＵＣＣＨ繰り返しの間にさらにＵＣＩ送信が必要な場合、ペイロードによってＰＵＣＣＨフォーマットが異なるように変更されることができる。この場合、特に、ＵＣＩが追加されない場合と異なる値のＯＬＰＣパラメータ（例えば、Ｐ＿Ｏ、ａｌｐｈａ）関連情報および／またはＴＰＣ蓄積（accumulation）のために予め定義された増減値などが、予め定義されるかまたは上位層信号によりＵＥに設定されることができる。
【０１２３】
−Ｏｐｔｉｏｎ２：選択的にＵＣＩの追加が許可され、ＵＥは、追加されるＵＣＩをＰＵＣＣＨに送信することができる。このとき、追加されるＵＣＩは、より高い優先順位の、ターゲットサービスおよび／またはＱｏＳおよび／またはＢＬＥＲの要件および／または信頼性の要件および／または遅延の要件および／またはＴＴＩ長および／またはニューマロロジに対応することができる。また、ＰＵＣＣＨフォーマットの変更（switching）を引き起こさない状況までは高い優先順位に該当するＵＣＩの追加が優先して許可されることもできる。
【０１２４】
−Ｏｐｔｉｏｎ３：ＰＵＣＣＨ繰り返しの間にさらにＨＡＲＱ−ＡＣＫ送信が必要な場合、追加されるＨＡＲＱ−ＡＣＫに対して空間／時間／搬送波／周波数領域ＨＡＲＱ−ＡＣＫバンドリングが適用されることができる。
【０１２５】
−Ｏｐｔｉｏｎ４：ＰＵＣＣＨ繰り返しの間にさらにＵＣＩ送信が必要な場合、追加されるＵＣＩタイプによって、追加の有無が決定される。特に、ＨＡＲＱ−ＡＣＫは、ＰＵＣＣＨ繰り返しの間に特定のＴＴＩに追加され、ＣＳＩは、追加されずドロップされるように規定されることもできる。
【０１２６】
−Ｏｐｔｉｏｎ５：ＰＵＣＣＨ繰り返しの間にＰＵＳＣＨスケジューリングされる場合、ＵＥが、該当ＴＴＩでＰＵＣＣＨをドロップし、ＰＵＣＣＨにおけるＵＣＩをＰＵＳＣＨにピギーバックするように規定することもできる。
【０１２７】
上記Ｏｐｔｉｏｎの具現有無は、ＰＵＣＣＨの送信電力における変動（例えば、電力が予め定義されたまたは上位／物理層信号により設定／指示された閾値（臨界値）以下であるか否か）によって異なる。一例として、ＰＵＣＣＨ送信電力が一定のレベルより大きく変化すると、更なるＵＣＩ送信を許可せず、ＰＵＣＣＨ繰り返しのみを行うことができる。
【０１２８】
［Ｐｒｏｐｏｓａｌ  １−９］
【０１２９】
同じＴＴＩ長および／またはニューマロロジを有する複数の（ユニキャスト）ＰＤＳＣＨに対して、同時点で受信できるか否かに関する端末の能力情報が、基地局に報告される。特徴的には、複数のＰＤＳＣＨは、異なるターゲットサービスおよび／またはＱｏＳおよび／またはＢＬＥＲの要件および／または信頼性の要件および／または遅延の要件を有する。この場合、端末は、複数のＰＤＳＣＨを各々互いに異なるバッファに受信／記憶（貯蔵）し、ＰＤＳＣＨを復調／復号するように構成できる。かかる動作をサポートするために、複数のＰＤＳＣＨに対するＴＢサイズの総計（総合）（total sum）が、本来ＵＥが有する最大のサポート可能なＴＢサイズより小さいかまたは等しいという制限下でサポートされることができる。かかる動作をサポートするために、複数のＰＤＳＣＨに対するレイヤの総計は、本来ＵＥがサポート可能な最大の空間レイヤの数より小さいかまたは等しいという制限も必要である。基地局は、かかる動作に対する上位層信号を端末にシグナリングすることもできる。
【０１３０】
［Ｐｒｏｐｏｓａｌ  １−１０］
【０１３１】
ＳＰＳベースまたはＧｒａｎｔ−ｆｒｅｅもしくはＴＴＩ  ｂｕｎｄｌｉｎｇベースのＵＬ送信（例えば、ＰＵＳＣＨ）に対して繰り返しが設定／指示された場合、繰り返しに該当する送信と、ＳＰＳベースまたはＧｒａｎｔ−ｆｒｅｅもしくはＴＴＩ  ｂｕｎｄｌｉｎｇベースの初期送信時間が重畳する場合、繰り返しに該当する送信がより高い優先順位を付与され、ＳＰＳベースまたはＧｒａｎｔ−ｆｒｅｅもしくはＴＴＩ  ｂｕｎｄｌｉｎｇベースの初期送信は、ドロップされるかまたは電力割り当てにおいて優先順位が低くなるように規定されることができる。この場合、ＳＰＳベースまたはＧｒａｎｔ−ｆｒｅｅもしくはＴＴＩ  ｂｕｎｄｌｉｎｇベースの初期送信は、次のＳＰＳ送信機会に送信されるように規定されることができる。
【０１３２】
例えば、ＳＰＳ  ＰＵＳＣＨの場合、基地局は、端末に上位層シグナリング（例えば、ＲＲＣシグナリング）によりＳＰＳ間隔（例えば、周期）およびＳＰＳ  ＰＵＳＣＨ繰り返し送信に関連するパラメータを含むＳＰＳ設定を送信する。ＳＰＳ  ＰＵＳＣＨ繰り返し送信に関連するパラメータは、例えば、繰り返し送信回数を含む。ＳＰＳ  ＰＵＳＣＨは、ＳＴＴＩ（Short TTI）（例えば、スロットもしくはサブスロット）の長さに該当するか、またはノーマルＴＴＩ（例えば、サブフレーム）の長さに該当する。ＳＰＳ  ＰＵＳＣＨのためのリソース割り当ては、ＳＰＳ  Ｃ−ＲＮＴＩによりスクランブルされたＤＣＩにより行われる。端末は、ＳＰＳ  Ｃ−ＲＮＴＩによりスクランブルされたＤＣＩをＰＤＣＣＨを介して基地局から受信した後、上位層シグナリングにより先に指示された繰り返し送信回数だけＳＰＳ  ＰＵＳＣＨを繰り返して送信する。より具体的には、ＳＰＳ設定により指示されたＳＰＳ間隔をＫ、繰り返し送信回数をＮと仮定すると、端末は、ＳＰＳ間隔ｎからＳＰＳ  ＰＵＳＣＨをＮ回繰り返し送信し、その後、ＳＰＳ間隔ｎ＋ＫからＳＰＳ  ＰＵＳＣＨをＮ回繰り返し送信する。ＳＰＳ間隔ｎで送信されたＳＰＳ  ＰＵＳＣＨとＳＰＳ間隔ｎ＋Ｋで送信されたＳＰＳ  ＰＵＳＣＨとは、各々異なる上りリンクデータを運ぶ。ＳＰＳ間隔ごとにＮ回繰り返されるＳＰＳ  ＰＵＳＣＨのためのＮ個の時間リソースは、互いに連続することができる。
【０１３３】
端末がＳＰＳ  ＰＵＳＣＨ繰り返し送信（便宜上、ＳＰＳ  ＰＵＳＣＨ１という）を行う間に、端末にさらなるＳＰＳ  ＰＵＳＣＨの送信（便宜上、ＳＰＳ  ＰＵＳＣＨ２という）を行う必要がある場合には、問題が発生し得る。例えば、既に繰り返し送信を進行中（on-going）であるＳＰＳ  ＰＵＳＣＨ１とＳＰＳ  ＰＵＳＣＨ２とが衝突することができる（例えば、同じサブフレーム／スロット／サブスロットで重畳）。この場合、端末は、進行中のＳＰＳ  ＰＵＳＣＨ１の繰り返し送信を続け、ＳＰＳ  ＰＵＳＣＨ２は、（少なくとも該当リソースでは）送信を行わない（例えば、ＳＰＳ  ＰＵＳＣＨ  ２をドロップ／遅延）。一方、ＳＰＳ  ＰＵＳＣＨ２は、ＳＰＳ  ＰＵＳＣＨ１のためのＤＣＩとは別途のＤＣＩに関連することができる。ＳＰＳ  ＰＵＳＣＨ２は、繰り返し送信されるＳＰＳ  ＰＵＳＣＨであることができるが、それに限られず、ＳＰＳ  ＰＵＳＣＨ２は、繰り返し送信されないＳＰＳ  ＰＵＳＣＨであることもできる。ＳＰＳ  ＰＵＳＣＨ２は、ＳＴＴＩ長を有するか、またはノーマルＴＴＩ長を有する。ＳＰＳ  ＰＵＳＣＨ１のＴＴＩ長とＳＰＳ  ＰＵＳＣＨ２のＴＴＩ長とが同一であることもできるが、必ずしも同一である必要はない。一例として、ＳＰＳ  ＰＵＳＣＨ１は、ＳＴＴＩ長を有し、ＳＰＳ  ＰＵＳＣＨ２は、ノーマルＴＴＩ長を有するか、またはその逆であることもできる。この場合、ＳＰＳ  ＰＵＳＣＨ１とＳＰＳ  ＰＵＳＣＨ２とが同じ時間リソースで衝突することは、必ずしも時間リソースの間の完全な重畳に限られず、時間リソースの間の部分的な重畳を含むこともできる。
【０１３４】
かかる状況において、基地局は、端末からＳＰＳ  ＰＵＳＣＨ１の繰り返し受信を続ける。基地局は、端末がＳＰＳ  ＰＵＳＣＨ２を送信するとは期待しない。
【０１３５】
このように進行中のＳＰＳ繰り返しに高い優先順位を付与する技術的意義は、以下の通りである。基地局がＳＰＳ繰り返し回数を予め設定することは、該当回数だけＳＰＳ繰り返しが行われなければ、ＵＬ送信のターゲット信頼性が確保されないと判断したことを意味し、よって、該当繰り返し回数だけのＵＬ  ＳＰＳ繰り返し送信が保証（保障）される必要がある。該当繰り返し回数のＵＬ  ＳＰＳ繰り返し送信が保証されなければ、該当ＵＬ送信の信頼度も保証することができない。
【０１３６】
説明の便宜上、ＳＰＳ  ＰＵＳＣＨを仮定したが、本発明は、それに限られず、本発明の実施例は、他のＵＬチャネルにも適用可能である。
【０１３７】
特徴的には、上記規則は、繰り返し回数が閾値以下である場合のみに適用されるか、あるいは、繰り返し送信に該当する送信によって、ＳＰＳベースまたはＧｒａｎｔ−ｆｒｅｅもしくはＴＴＩ  ｂｕｎｄｌｉｎｇベースの初期送信がドロップされる回数、または電力が減少させられる回数（こと）が、閾値以下である場合のみに適用されることもできる。例えば、繰り返し回数が閾値を超えたか、あるいは、上記規則により繰り返し送信に該当する送信によって、ＳＰＳベースまたはＧｒａｎｔ−ｆｒｅｅもしくはＴＴＩ  ｂｕｎｄｌｉｎｇベースの初期送信がドロップされる／電力が減少させられる回数が閾値を超えた場合は、繰り返しが中止され、ＳＰＳベースまたはＧｒａｎｔ−ｆｒｅｅもしくはＴＴＩ  ｂｕｎｄｌｉｎｇベースの初期送信が行われるように規定されることができる。
【０１３８】
［Ｐｒｏｐｏｓａｌ  １−１１］
【０１３９】
ＳＰＳベースまたはＧｒａｎｔ−ｆｒｅｅベースのＵＬ送信について繰り返しが設定／指示された場合において、繰り返しに該当する送信と、ＳＰＳベースまたはＧｒａｎｔ−ｆｒｅｅもしくはＴＴＩ  ｂｕｎｄｌｉｎｇベースの初期送信の時間が重複する場合、繰り返しを直ちに中止し、初期送信を行うように規定することができる。このように、ＵＬ送信の信頼性より遅延がより高い優先順位を有することができる。
【０１４０】
［Ｐｒｏｐｏｓａｌ  １−１２］
【０１４１】
ＳＰＳベースまたはＧｒａｎｔ−ｆｒｅｅベースのＵＬ送信に対して繰り返しが設定／指示された場合において、繰り返しに該当する送信と、ＳＰＳベースまたはＧｒａｎｔ−ｆｒｅｅもしくはＴＴＩ  ｂｕｎｄｌｉｎｇベースの初期送信と、の時間が重畳する場合、繰り返し送信と初期送信とが同じＴＴＩで全て行われることもできる。これは、できる限り遅延および信頼性性能の両方の劣化を減少させるためである。ＵＥが初期送信と繰り返し送信とを共に行う場合、初期送信および繰り返し送信に該当する各符号化シンボル（例えば、変調シンボル）をＳＰＳ送信のために予め割り当てられたリソースにマッピングして送信することもできる。しかしながら、この場合、全体の符号化率（レート）を増加させ、復号性能が低下することができる。
【０１４２】
よって、ＳＰＳまたはＧｒａｎｔ−ｆｒｅｅまたはＴＴＩ  ｂｕｎｄｌｉｎｇのために設定されたリソースにさらに他のリソースが共に使用されるように、ネットワークは、端末に上位層信号により更なるリソースを、予め設定するかまたは予めリザーブ（約束）する（pre-reserve）ことができる。追加されるリソースが既存の設定されたリソースと周波数軸で離隔する場合、端末のＰＡＰＲ（peak to average power Ratio）性能に影響を及ぼすことができる。よって、追加されるリソースは、既に設定されたリソースと連接して設定されるように（または予め暗示的にリザーブされるように）制限することができる。
【０１４３】
さらに他の方式として、上記の場合に使用される別のリソースが、予め上位層信号により端末に設定されることができる。ＳＰＳベースまたはＧｒａｎｔ−ｆｒｅｅもしくはＴＴＩ  ｂｕｎｄｌｉｎｇベースのＵＬ送信について繰り返しが設定／指示された場合において、繰り返しに該当する送信と、ＳＰＳベースまたはＧｒａｎｔ−ｆｒｅｅもしくはＴＴＩ  ｂｕｎｄｌｉｎｇベースの初期送信の時間が重畳する場合、端末は、別に設定されたリソースに繰り返し送信および初期送信を全てマッピングすることもできる。
【０１４４】
さらに他の方式として、上記の場合に使用されるＵＬ送信の電力は、特に予めリザーブされるか、または上位層信号により端末に設定されることもできる。具体的な一例として、元来の繰り返し送信および／もしくは初期送信に適用されるＵＬ送信の電力に対するオフセットが予めリザーブされるか、または上位層信号により設定されることができる。
【０１４５】
［Ｐｒｏｐｏｓａｌ  １−１３］
【０１４６】
ＳＰＳベースまたはＧｒａｎｔ−ｆｒｅｅベースのＵＬ送信に対して繰り返しが設定／指示された場合において、例えば、現在の送信機会の繰り返し送信がＳＰＳ／Ｇｒａｎｔ−ｆｒｅｅ周期によって決定された次回の送信機会と衝突する程度に繰り返し送信回数が大きく設定されることもできる。一例として、ＳＰＳ周期は、１（個の）ＴＴＩでありながら、同時に各送信について４回の繰り返しが設定されることもできる。ＬＴＥの場合、現在のＵＬ  ＳＰＳ初期送信に対するＨＡＲＱ  ＩＤは、以下の表５のように決定される。
【０１４７】
＜表５＞
【表５】
2021503858.tif 000024
【０１４８】
本発明の一実施例によれば、ＳＰＳベースまたはＧｒａｎｔ−ｆｒｅｅベースのＵＬ送信に対して繰り返しが設定／指示された場合、ＨＡＲＱ  ＩＤの決定に繰り返し回数が共に考慮されるように規定することができる。一例として、以下の表６のようにＨＡＲＱ  ＩＤを決定できる。
【０１４９】
＜表６＞
【表６】
2021503858.tif 000025
【０１５０】
表６の例は、ＳＰＳ／Ｇｒａｎｔ−ｆｒｅｅ周期により決定された次の送信機会と繰り返し送信との衝突が引き起こされるようにＳＰＳ／Ｇｒａｎｔ−ｆｒｅｅ周期および繰り返し回数が設定されたとき、繰り返し送信を優先する場合、繰り返しに該当する送信のＨＡＲＱ  ＩＤが変化しないようにする方式として効果的である。
【０１５１】
［Ｐｒｏｐｏｓａｌ  １−１４］
【０１５２】
ＳＰＳベースまたはｇｒａｎｔ−ｆｒｅｅベースのＵＬ送信について繰り返しが設定／指示された場合、繰り返しに該当するＳＰＳベースまたはｇｒａｎｔ−ｆｒｅｅベースの送信（以下、説明の便宜上、繰り返しに該当するＳＰＳベースまたはｇｒａｎｔ−ｆｒｅｅベースの送信をＵＬ  ＳＰＳ繰り返し送信という）と、動的ＵＬグラントベースのＵＬチャネルの送信タイミングが重畳した場合、（特に一つのサービングセル内で送信タイミング重畳による衝突が発生した場合）タイミングが重畳したＴＴＩに該当するＵＬ  ＳＰＳ繰り返し送信は、ドロップされ、動的ＵＬグラントベースのＵＬチャネルが送信されることができる。送信時間が重なったＴＴＩ後のＴＴＩで元来送信する予定のＵＬ  ＳＰＳ繰り返し送信がドロップされるか、または再び送信が再開されることができる。
【０１５３】
図９は、本発明の一実施例によるＳＰＳ  ＰＵＳＣＨドロップ後のピギーバックＵＣＩを送信する方法を説明する図である。
【０１５４】
ＵＬ  ＳＰＳ繰り返し送信がドロップされる場合であって、ＵＬ  ＳＰＳ繰り返し送信にピギーバックされて送信される予定のＵＣＩ（例えば、ＨＡＲＱ−ＡＣＫおよび／またはＣＳＩ）が存在する場合には、ＵＣＩの送信方式を以下のように提案する。本提案で仮定された衝突は、基本的に同じＴＴＩ長の衝突を仮定するが、互いに異なるＴＴＩ長に対する衝突にも拡張して適用することができる。
【０１５５】
−Ｏｐｔｉｏｎ  １：ＵＬ  ＳＰＳ繰り返し送信にピギーバックされて送信される予定のＵＣＩ（例えば、ＨＡＲＱ−ＡＣＫおよび／またはＣＳＩ）は、ＰＵＣＣＨで送信されるように規定することができる。特徴的には、Ｏｐｔｉｏｎ  １による方式は、該当ＴＴＩに動的ＵＬグラントベースのＰＵＳＣＨがスケジューリングされていない場合に限って適用できる。
【０１５６】
−Ｏｐｔｉｏｎ  ２：ＵＬ  ＳＰＳ繰り返し送信にピギーバックされて送信される予定のＵＣＩ（例えば、ＨＡＲＱ−ＡＣＫおよび／またはＣＳＩ）は、動的ＵＬグラントベースのＰＵＳＣＨで送信されるように規定されることができる。ここで、動的ＵＬグラントベースのＰＵＳＣＨは、ＵＣＩが送信される予定のサービングセルと同じサービングセルで送信されるＰＵＳＣＨであるか、またはＵＣＩが送信される予定のサービングセルとは異なるサービングセルにおいてスケジューリングされたものである。
【０１５７】
［Ｐｒｏｐｏｓａｌ  １−１５］
【０１５８】
ＳＰＳベースまたはｇｒａｎｔ−ｆｒｅｅベースのＵＬ送信について繰り返しが設定／指示された場合、繰り返しに該当するＳＰＳベースまたはｇｒａｎｔ−ｆｒｅｅベースの送信（説明の便宜上、ＵＬ  ＳＰＳ繰り返し送信という）と、動的ＵＬグラントベースのＵＬチャネルの送信の時間が重なる場合（特に、一つのサービングセルで送信され、送信時間が重なる衝突が発生した場合）、ＵＬ  ＳＰＳ繰り返し送信がｌｏｎｇｅｒ  ＴＴＩであれば、ｌｏｎｇｅｒ  ＴＴＩに該当するＵＬ  ＳＰＳ繰り返し送信はドロップされ、動的ＵＬグラントベースのＵＬチャネルが送信される（または逆の動作も可能である）。送信時間が重なったＴＴＩ後のＴＴＩについて、元来送信される予定のＵＬ  ＳＰＳ繰り返し送信の場合には、ドロップされるか、または再び送信が再開される。ドロップされる場合には、ＵＬ  ＳＰＳ繰り返し送信にピギーバックされて送信される予定のＵＣＩ（例えば、ＨＡＲＱ−ＡＣＫおよび／またはＣＳＩ）の送信方式を以下のように提案する。
【０１５９】
−Ｏｐｔｉｏｎ  １：ＵＬ  ＳＰＳ繰り返し送信にピギーバックされて送信される予定のＵＣＩ（例えば、ＨＡＲＱ−ＡＣＫおよび／またはＣＳＩ）は、ＰＵＣＣＨで送信されるように規定されることができる。特徴的には、Ｏｐｔｉｏｎ  １の方式は、動的ＵＬグラントベースのＰＵＳＣＨがスケジューリングされていない場合に限って適用できる。ここで、ＵＣＩを含むＰＵＣＣＨは、ドロップされるＵＬ  ＳＰＳ繰り返し送信のＴＴＩ長と同一であるかまたはより短い。
【０１６０】
−Ｏｐｔｉｏｎ  ２：ＵＬ  ＳＰＳ繰り返し送信にピギーバックされて送信される予定のＵＣＩ（例えば、ＨＡＲＱ−ＡＣＫおよび／またはＣＳＩ）は、動的ＵＬグラントベースのＰＵＳＣＨで送信されるように規定されることができる。ここで、動的ＵＬグラントベースのＰＵＳＣＨは、ＵＣＩが送信される予定のサービングセルと同じサービングセルで送信されるＰＵＳＣＨであるか、またはＵＣＩが送信される予定のサービングセルとは異なるサービングセルにスケジューリングされたものである。ＵＣＩを含む動的ＵＬグラントベースのＰＵＳＣＨは、ドロップされるＵＬ  ＳＰＳ繰り返し送信のＴＴＩ長と同一であるかまたはより短い。
【０１６１】
一方、上述した提案方式に関する一例も本発明の具現方法の一つであり、提案方式の一つとして判断することができる。上述した提案方式は、独立して具現するか、または一部の提案方式の組み合わせ（もしくは併合）の形態で具現することができる。上記提案方法の適用の有無に関する情報（または提案方法の規則に関する情報）は、基地局が端末に予め定義されたシグナル（例えば、物理層シグナルまたは上位層シグナル）により知らせるように規定できる。
【０１６２】
図１０は、本発明の一実施例による上りリンク信号の送受信方法の流れを示す図である。図１０は、上述した実施例に関する例示的な具現であり、本発明は、図１０に限られず、上述した内容と重なる説明を省略することができる。
【０１６３】
図１０を参照すると、端末は、基地局からＳＰＳ（Semi-Persistent Scheduling）ベースの上りリンク信号繰り返しのためのＳＰＳ設定を受信する（１０５）。例えば、ＳＰＳ設定は、ＳＰＳ間隔（例えば、周期）情報および繰り返し回数情報を含む。
【０１６４】
端末は、ＳＰＳ設定に基づいて第１のＳＰＳ上りリンク信号を基地局に繰り返し送信する（１１０）。例えば、第１のＳＰＳ上りリンク信号は、ＣＲＣがＳＰＳ  Ｃ−ＲＮＴＩにスクランブルされたＳＰＳ活性化のためのＰＤＣＣＨを受信（図示せず）した後に送信されることができる。
【０１６５】
第１のＳＰＳ上りリンク信号の繰り返しが進行中であり、第１のＳＰＳ上りリンク信号の時間リソースと第２のＳＰＳ上りリンク信号の時間リソースとが重畳した状態で、端末は、第２のＳＰＳ上りリンク信号の送信なしで、進行中の第１のＳＰＳ上りリンク信号の繰り返しを続けることができる。これと同様に、第１のＳＰＳ上りリンク信号の繰り返しが進行中であり、第１のＳＰＳ上りリンク信号の時間リソースと第２のＳＰＳ上りリンク信号の時間リソースとが重畳した状態で、基地局は、第２のＳＰＳ上りリンク信号の受信なしで、進行中の第１のＳＰＳ上りリンク信号の繰り返しを受信し続けることができる。第２のＳＰＳ上りリンク信号は、ＣＲＣがＳＰＳ  Ｃ−ＲＮＴＩによりスクランブルされたＳＰＳ活性化のための更なるＰＤＣＣＨを介してスケジューリングされたものである。
【０１６６】
端末／基地局は、第１のＳＰＳ上りリンク信号の時間リソースと第２のＳＰＳ上りリンク信号の時間リソースとが重畳した状態で、第１のＳＰＳ上りリンク信号と第２のＳＰＳ上りリンク信号とが衝突すると判断することができる。また、基地局は、端末が第２のＳＰＳ上りリンク信号を送信するとは期待しないことができる。
【０１６７】
第１のＳＰＳ上りリンク信号および第２のＳＰＳ上りリンク信号は、各々ＳＰＳ  ＰＵＳＣＨ（Physical Uplink Shared CHannel）である。
【０１６８】
第１のＳＰＳ上りリンク信号の繰り返しは、サブフレーム単位、スロット単位またはサブスロット単位で行われる。
【０１６９】
第２のＳＰＳ上りリンク信号は、初期送信に関連する。例えば、第２のＳＰＳ上りリンク信号は、繰り返されるＳＰＳ信号の初期送信（即ち、第２のＳＰＳ上りリンク信号の繰り返し開始前）である。あるいは、第２のＳＰＳ上りリンク信号は、繰り返されない一般的なＳＰＳ信号であることもできる。
【０１７０】
一例として、第１のＳＰＳ上りリンク信号の時間リソースが、ＳＰＳベースではなく、動的上りリンク承認ベースの第３の上りリンク信号の時間リソースと重畳した状態で、端末／基地局は、第１のＳＰＳ上りリンク信号の繰り返しを中断し、第３の上りリンク信号を送受信することができる。一例として、第１のＳＰＳ上りリンク信号の繰り返しが中断されると、端末／基地局は、第１のＳＰＳ上りリンク信号でピギーバック方式で送受信されると予定されていた上りリンク制御情報（ＵＣＩ）を第３の上りリンク信号を介して送受信するか、または他のＰＵＣＣＨ（Physical Uplink Control CHannel）を介して送受信する。
【０１７１】
図１１は、本発明の実施例による送信装置１０および受信装置２０の構成要素を示すブロック図である。送信装置１０および受信装置２０は、各々、情報および／またはデータ、信号、メッセージなどを運ぶ無線信号を送信または受信する送信器／受信器１３、２３と、無線通信システム内の通信に関連する各種情報を記憶するメモリ１２、２２と、該送信器／受信器１３、２３およびメモリ１２、２２などの構成要素と動作的に接続（連結）されて、これらの構成要素を制御し、該当装置が上述した実施例のうちのいずれか一つを具現するように、メモリ１２、２２および／または送信器／受信器１３、２３を制御するプロセッサ１１、２１と、を含む。
【０１７２】
メモリ１２、２２は、プロセッサ１１、２１の処理および制御のためのプログラムを記憶し、入出力される情報を一時（臨時）記憶することもできる。メモリ１２、２２は、バッファとして活用されることもできる。プロセッサ１１、２１は、通常、送信装置または受信装置内の各種モジュールの全般的な動作を制御する。特に、プロセッサ１１、２１は、この明細書を行う（実現する）（implementation）ための各種制御機能を行う。プロセッサ１１、２１は、コントローラ、マイクロコントローラ、マイクロプロセッサ、マイクロコンピュータなどとも呼ぶことができる。プロセッサ１１、２１は、ハードウェアまたはファームウェア（firmware）、ソフトウェアまたはこれらの結合により具現できる。ハードウェアを用いてこの明細書を具現する場合、この明細書を行うように構成されたＡＳＩＣｓ（Application Specific Integrated Circuits）またはＤＳＰＳ（Digital Signal Processors）、ＤＳＰＤｓ（Digital Signal Processing Devices）、ＰＬＤｓ（Programmable Logic Devices）、ＦＰＧＡｓ（Field Programmable Gate Arrays）などがプロセッサ１１、２１に備えられる。一方、ファームウェアやソフトウェアによる具現の場合には、この明細書の機能または動作を行うモジュール、手順、関数などを含むようにファームウェアやソフトウェアが構成され、この明細書を行うようにファームウェアやソフトウェアは、プロセッサ１１、２１内に備えられるか、またはメモリ１２、２２に記憶されてプロセッサ１１、２１により駆動される。
【０１７３】
送信装置１０のプロセッサ１１は、プロセッサ１１または該プロセッサ１１に接続されたスケジューラによりスケジューリングされて外部に送信される信号および／またはデータについて所定の符号化（coding）および変調（modulation）を行った後、送信器／受信器１３に送信する。例えば、プロセッサ１１は、送信しようとするデータ列を逆多重化およびチャネル符号化、スクランブル、変調過程などによりＫ個のレイヤに変換する。符号化されたデータ列は、コードワードとも呼ばれ、ＭＡＣ層が提供するデータブロックであるトランスポート（送信）ブロックと等価である。１（個の）トランスポートブロック（Transport Block、ＴＢ）は、１（個の）コードワードに符号化され、各コードワードは、一つまたは複数のレイヤの形態で受信装置に送信される。周波数アップ変換のために、送信器／受信器１３は、オシレータ（oscillator）を含むことができる。送信器／受信器１３は、Ｎｔ個（Ｎｔは１以上の正の整数）の送信アンテナを含む。
【０１７４】
受信装置２０の信号処理過程は、送信装置１０の信号処理過程の逆で構成される。プロセッサ２１の制御下で、受信装置２０の送信器／受信器２３は、送信装置１０により送信された無線信号を受信する。送信器／受信器２３は、Ｎｒ個の受信アンテナを含み、該受信アンテナにより受信した信号を各々周波数ダウン変換してベースバンド信号に復元する。送信器／受信器２３は、周波数ダウン変換のためにオシレータを含む。プロセッサ２１は、受信アンテナにより受信した無線信号に対する復号および復調を行って、送信装置１０が本来送信しようとしたデータを復元することができる。
【０１７５】
送信器／受信器１３、２３は、一つまたは複数のアンテナを備える。アンテナは、プロセッサ１１、２１の制御下でこの明細書の一実施例によって、送信器／受信器１３、２３により処理された信号を外部に送信するかまたは外部から無線信号を受信して送信器／受信器１３、２３に伝達する機能を行う。アンテナは、アンテナポートとも呼ばれる。各アンテナは、一つの物理アンテナに該当するか、または一つもしくは複数の物理アンテナ要素の組み合わせによって構成される。各アンテナから送信された信号は、受信装置２０によりさらに分解されることができない。該当アンテナに対応して送信された参照信号によって、受信装置２０の観点からのアンテナを定義し、チャネルが１（個の）物理アンテナからの単一の無線チャネルであるか、またはアンテナを含む複数の物理アンテナ要素からの合成（composite）チャネルであるかに関係なく、受信装置２０は、アンテナに対するチャネル推定を行える。即ち、アンテナは、該アンテナ上のシンボルを伝達するチャネルが上記同じアンテナ上の他のシンボルが伝達されるチャネルから導き出されるように定義される。複数のアンテナを用いてデータを送受信する多入力多出力（多重入出力）（Multi-Input Multi-Output、ＭＩＭＯ）機能をサポートする送信器／受信器の場合には、２つ以上のアンテナに接続されることができる。
【０１７６】
本発明の実施例において、端末またはＵＥは、上りリンクでは送信装置１０として動作し、下りリンクでは受信装置２０として動作する。この明細書の実施例において、基地局またはｅＮＢは、上りリンクでは受信装置２０として動作し、下りリンクでは送信装置１０として動作する。
【０１７７】
上記送信装置および／または受信装置は、上述した実施例のうちの少なくとも一つまたは２つ以上の具現の組み合わせを行うことができる。
【０１７８】
以上のように開示された本発明の好適な実施形態についての詳細な説明は、当業者が本発明を具現して実施することができるように提供した。以上では、本発明の好適な実施形態に基づいて説明したが、当該技術分野の熟練した当業者は、下記の特許請求の範囲に記載された本発明の思想および領域から逸脱しない範疇内で、本発明を多様に修正および変更することができることを理解することが可能であろう。よって、本発明は、ここで開示した実施形態に制限されるものではなく、ここで開示した原理および新規の特徴と一致する最も広い範囲を付与しようとするものである。
【産業上の利用可能性】
【０１７９】
本発明は、端末、リレー、基地局などの無線通信装置に使用できる。
【図１】
2021503858.tif 000026
【図２】
2021503858.tif 000027
【図３】
2021503858.tif 000028
【図４】
2021503858.tif 000029
【図５】
2021503858.tif 000030
【図６】
2021503858.tif 000031
【図７】
2021503858.tif 000032
【図８】
2021503858.tif 000033
【図９】
2021503858.tif 000034
【図１０】
2021503858.tif 000035
【図１１】
2021503858.tif 000036
【手続補正書】
【提出日】令和2年5月20日(2020.5.20)
【手続補正１】
【補正対象書類名】特許請求の範囲
【補正対象項目名】全文
【補正方法】変更
【補正の内容】
【特許請求の範囲】
【請求項１】
無線通信システムにおいて、端末が上りリンク信号を送信する方法であって、
セミパーシステントスケジューリング（Semi-Persistent Scheduling；ＳＰＳ）ベースの上りリンク（UpLink；ＵＬ）送信繰り返しのためのＳＰＳ設定を受信する段階と、
前記ＳＰＳ設定に基づいて、第１のＳＰＳ上りリンクデータを繰り返し送信する段階と、を有し、
進行中の前記第１のＳＰＳ上りリンクデータの繰り返し送信と、第２のＳＰＳ上りリンクデータの送信と、が時間領域において重畳した状態で、前記端末は、前記第２のＳＰＳ上りリンクデータの送信なしで、前記進行中の第１のＳＰＳ上りリンクデータの繰り返し送信を続ける、方法。
【請求項２】
前記第１のＳＰＳ上りリンクデータを繰り返し送信する段階は、前記ＳＰＳ設定に基づいて、複数の時間間隔（Time Interval；ＴＴＩ）のそれぞれにおいて前記第１のＳＰＳ上りリンクデータを送信する段階を有する、請求項１に記載の方法。
【請求項３】
前記複数のＴＴＩのそれぞれは、前記時間領域において１４個のシンボルを有するサブフレーム、前記時間領域において７個のシンボルを有するスロット、または前記時間領域においてＮ個のシンボルを有するサブスロットであり、
Ｎは、７より小さい正の整数である、請求項２に記載の方法。
【請求項４】
動的上りリンク承認を受信する段階をさらに有し、
前記第１のＳＰＳ上りリンクデータの繰り返し送信が、前記時間領域において、前記動的上りリンク承認に基づく第３の上りリンクデータの送信と重畳した状態で、前記端末は、前記第１のＳＰＳ上りリンクデータを繰り返し送信する段階を中断し、前記第３の上りリンクデータを送信する、請求項１に記載の方法。
【請求項５】
前記端末が、前記第１のＳＰＳ上りリンクデータを繰り返し送信する段階を中断した状態で、前記端末は、前記第１のＳＰＳ上りリンクデータの送信でピギーバック方式で送信されると予定されていた上りリンク制御情報（Uplink Control Information；ＵＣＩ）を、前記第３の上りリンクデータの送信を介して、または物理上りリンク制御チャネル（Physical Uplink Control CHannel；ＰＵＣＣＨ）を介して、送信する、請求項４に記載の方法。
【請求項６】
無線通信システムにおいて、基地局が上りリンク信号を受信する方法であって、
セミパーシステントスケジューリング（Semi-Persistent Scheduling；ＳＰＳ）ベースの上りリンク（UpLink；ＵＬ）受信繰り返しのためのＳＰＳ設定を端末に送信する段階と、
前記ＳＰＳ設定に基づいて、前記端末から第１のＳＰＳ上りリンクデータを繰り返し受信する段階と、を有し、
進行中の前記第１のＳＰＳ上りリンクデータの繰り返し受信と、第２のＳＰＳ上りリンクデータの受信と、が時間領域において重畳した状態で、前記基地局は、前記第２のＳＰＳ上りリンクデータの受信なしで、前記進行中の第１のＳＰＳ上りリンクデータの繰り返し受信を続ける、方法。
【請求項７】
前記基地局は、前記進行中の第１のＳＰＳ上りリンクデータの繰り返し受信と、前記第２のＳＰＳ上りリンクデータの受信と、が前記時間領域において重畳した状態で、前記端末が前記第２のＳＰＳ上りリンクデータを送信するとは期待しない、請求項６に記載の方法。
【請求項８】
前記第１のＳＰＳ上りリンクデータを繰り返し受信する段階は、前記ＳＰＳ設定に基づいて、複数の時間間隔（Time Interval；ＴＴＩ）のそれぞれにおいて前記第１のＳＰＳ上りリンクデータを受信する段階を有する、請求項６または７に記載の方法。
【請求項９】
前記複数のＴＴＩのそれぞれは、前記時間領域において１４個のシンボルを有するサブフレーム、前記時間領域において７個のシンボルを有するスロット、または前記時間領域においてＮ個のシンボルを有するサブスロットであり、
Ｎは、７より小さい正の整数である、請求項８に記載の方法。
【請求項１０】
動的上りリンク承認を端末に送信する段階をさらに有し、
前記第１のＳＰＳ上りリンクデータの繰り返し受信が、前記時間領域において、前記動的上りリンク承認に基づく第３の上りリンクデータの受信と重畳した状態で、前記基地局は、前記第１のＳＰＳ上りリンクデータを繰り返し受信する段階を中断し、前記第３の上りリンクデータを受信する、請求項６に記載の方法。
【請求項１１】
前記基地局が、前記第１のＳＰＳ上りリンクデータを繰り返し受信する段階を中断した状態で、前記基地局は、前記第１のＳＰＳ上りリンクデータの受信でピギーバック方式で受信されると予定されていた上りリンク制御情報（Uplink Control Information；ＵＣＩ）を、前記第３の上りリンクデータの受信を介して、または物理上りリンク制御チャネル（Physical Uplink Control CHannel；ＰＵＣＣＨ）を介して、受信する、請求項１０に記載の方法。
【請求項１２】
無線通信システムにおいて、上りリンク信号を送信する端末であって、
送受信器と、
少なくとも１つのプロセッサと、
前記少なくとも１つのプロセッサと動作可能に接続可能であり、指示を記憶する少なくとも１つのメモリと、を有し、
前記指示は、実行されたとき、前記少なくとも１つのプロセッサに、
前記送受信器を介して、セミパーシステントスケジューリング（Semi-Persistent Scheduling；ＳＰＳ）ベースの上りリンク（UpLink；ＵＬ）送信繰り返しのためのＳＰＳ設定を受信することと、
前記ＳＰＳ設定に基づいて、前記送受信器を介して、第１のＳＰＳ上りリンクデータを繰り返し送信することと、を有する動作を実行させ、
前記動作は、
進行中の前記第１のＳＰＳ上りリンクデータの繰り返し送信と、第２のＳＰＳ上りリンクデータの送信と、が時間領域において重畳した状態で、前記第２のＳＰＳ上りリンクデータの送信なしで、前記進行中の第１のＳＰＳ上りリンクデータの繰り返し送信を続けることを有する、端末。
【請求項１３】
前記第１のＳＰＳ上りリンクデータを繰り返し送信することは、前記ＳＰＳ設定に基づいて、複数の時間間隔（Time Interval；ＴＴＩ）のそれぞれにおいて前記第１のＳＰＳ上りリンクデータを送信することを有する、請求項１２に記載の端末。
【請求項１４】
前記複数のＴＴＩのそれぞれは、前記時間領域において１４個のシンボルを有するサブフレーム、前記時間領域において７個のシンボルを有するスロット、または前記時間領域においてＮ個のシンボルを有するサブスロットであり、
Ｎは、７より小さい正の整数である、請求項１３に記載の端末。
【請求項１５】
前記動作は、
動的上りリンク承認を受信することをさらに有し、
前記第１のＳＰＳ上りリンクデータの繰り返し送信が、前記時間領域において、前記動的上りリンク承認に基づく第３の上りリンクデータの送信と重畳した状態で、前記端末は、前記第１のＳＰＳ上りリンクデータを繰り返し送信する段階を中断し、前記第３の上りリンクデータを送信する、請求項１２〜１４のいずれか一項に記載の端末。
【国際調査報告】
2021503858.tif 000037
2021503858.tif 000038
2021503858.tif 000039
2021503858.tif 000040